(57)【要約】【課題】  人工皮革用基材において、従来は相反する性能であると認識されてきた感性面の性能と物性面での性能とを、いずれも高いレベルで兼備した人工皮革用基材を提供する。【解決手段】  極細長繊維束の不織布構造体からなる人工皮革用基材において、下記（１）〜（４）：（１）極細長繊維束が、断面形状が略円形の極細長繊維が８〜７０本集束したものであること、（２）極細長繊維束が、断面積１７０〜７００μｍ２、扁平率４．０以下であること、（３）不織布構造体の厚さ方向と平行任意の断面において、極細長繊維束の断面が１５００〜３０００個／ｍｍ２の範囲で存在していること、および（４）不織布構造体の厚さ方向と平行任意の断面において、極細繊維束間の空隙サイズが７０μｍ以下であることを同時に満足していることを特徴とする人工皮革用基材。【選択図】なし【特許請求の範囲】
【請求項１】
極細長繊維束の不織布構造体からなる人工皮革用基材において、下記（１）〜（４）：
（１）極細長繊維束が、断面形状が略円形の極細長繊維が８〜７０本集束したものであること、
（２）極細長繊維束が、断面積１７０〜７００μｍ２、扁平率４．０以下であること、
（３）不織布構造体の厚さ方向と平行任意の断面において、極細長繊維束の断面が１５００〜３０００個／ｍｍ２の範囲で存在していること、および
（４）不織布構造体の厚さ方向と平行任意の断面において、極細繊維束間の空隙サイズが７０μｍ以下であること、
を同時に満足していることを特徴とする人工皮革用基材。
【請求項２】
不織布構造体の厚さ方向と平行任意の断面の表面から２００μｍまでの範囲において、極細繊維束間の平均空隙サイズが１０〜４０μｍの範囲にある請求項１記載の人工皮革用基材。
【請求項３】
高分子弾性体が含有されている請求項１または２記載の人工皮革用基材。
【請求項４】
請求項１〜３いずれか1項に記載の人工皮革用基材の表面を起毛してなる立毛調人工皮革。
【請求項５】
下記工程（ａ）〜（ｄ）を順次実施することを特徴とする人工皮革用基材の製造方法。
（ａ）島成分に熱収縮性ポリマー、海成分に水溶性ポリマーを用い、島数が８〜７０個、海と島の断面積比が５：９５〜６０：４０、断面積が７０〜３５０μｍ２の海島型長繊維を溶融紡糸し、これをカットすることなくランダムな配向状態で捕集面上に集積してシート状の長繊維ウェブを製造する工程
（ｂ）長繊維ウェブを、必要に応じて複数重ね合わせ、少なくとも６バーブのニードルを用い、かつ該ニードルの少なくとも１つ以上のバーブが貫通するような条件で、両面からニードルパンチングして海島型長繊維同士を三次元絡合させて不織布構造体を製造する工程
（ｃ）不織布構造体を海成分ポリマーが可塑化し、かつ島成分ポリマーが収縮するような条件で湿熱処理し、必要に応じて乾熱プレス処理して、厚さ方向に並行断面において海島型長繊維の断面が１０００〜３５００個／ｍｍ２の範囲になるまで緻密化する工程
（ｄ）海島型長繊維から海成分を水または水溶液により除去し、極細長繊維束に変成させる工程
【請求項６】
請求項５記載の人工皮革用基材の製造方法における工程（ｄ）の後工程として、下記工程（ｅ）〜（ｈ）を順次実施する人工皮革用基材の製造方法。
（ｅ）不織布構造体の少なくとも片面に、易抽出性高分子の溶液、水分散液または融液を塗布し、易抽出性高分子を固化させる工程
（ｆ）同じ面に高分子弾性体の水分散液を塗布し、高分子弾性体を固化させる工程
（ｇ）不織布構造体から易抽出性高分子を除去する工程
（ｈ）高分子弾性体を塗布した面を加圧しつつ研削処理して、不織布構造体の厚さ方向と平行任意の断面の研削処理側表面から２００μｍまでの範囲において、極細繊維束間の平均空隙サイズが１０〜４０μｍの範囲になるよう緻密化する工程
【請求項７】
請求項５または６記載の人工皮革用基材の製造方法における工程（ｄ）の前工程または後工程として、下記工程（ｉ）を実施する人工皮革用基材の製造方法。
（ｉ）不織布構造体に高分子弾性体の溶液または水分散液を含浸し、高分子弾性体を固化させる工程
【発明の詳細な説明】
【技術分野】
【０００１】
本発明は、人工皮革用基材に関する。該人工皮革用基材を用いると、緻密性の極めて高い優美な立毛調の外観を有し、かつ発色性にも優れていながら、耐ピリング性などの表面磨耗耐久性に優れ、柔らかで膨らみ感のある風合いとを兼備した立毛調人工皮革や、平滑性が高くて細かな折れ皺の表面を有し、高い接着剥離強力と柔らかで膨らみ感のある風合いとを兼備した銀面調人工皮革を製造することができる。
【背景技術】
【０００２】
従来、繊維束と高分子弾性体とからなる基材の表面に該繊維束からなる立毛を形成したスエード調人工皮革やヌバック調人工皮革などの立毛調人工皮革は公知である。立毛調人工皮革は、外観（天然皮革により近い表面感）、風合い（柔軟な手触りと適度な膨らみ感や充実感の兼備）、発色性（色の鮮明さや濃度感）等の感性面での要求だけでなく、耐光性、耐ピリング性、耐磨耗性等の物性面での要求をすべて高いレベルで満足することが求められており、これを解決すべく種々の提案がなされてきた。
【０００３】
外観や風合いにおける要求を満足させるために、例えば人工皮革を構成する繊維を極細繊維にする方法が一般に用いられている。極細繊維からなる人工皮革を製造する一手法として、海島型や多層貼り合わせ型などの複合繊維を分割、または、一成分を分解または抽出除去することで極細繊維束に変成させる方法が広く採用されている。該複合繊維から得られる極細繊維束からなる不織布に高分子弾性体を含有させた人工皮革用基材を用いた立毛調人工皮革や銀面調人工皮革は、外観や風合いにおいて非常に高い評価を得ている。しかしながら、繊度を細くするにつれて、発色性が低下して鮮明さや濃度感が顕著に劣ってしまうという欠点を有しており、特に立毛調人工皮革においては総合的な高品質の要求を満足できていない。
【０００４】
人工皮革用基材に用いる不織布構造体を製造する方法としては、紡糸した繊維を１００ｍｍ以下の長さにカットしてステープル繊維とし、これをカード法や抄紙法などにより所望の目付の不織ウェブとし、必要に応じてこの不織ウェブを複数枚積重した後、ニードルパンチ法やスパンレース法などにより繊維を絡合させる方法が最も一般的である。これらの方法により製造された所望の嵩高さや絡合度合いを有する不織布構造体から、人工皮革用基材が製造されている。このような人工皮革用基材を用いた立毛調人工皮革や銀面調人工皮革は、特に風合いの点において高い評価を得ている。しかしながら、不織布構造体を構成するステープル繊維は、繊維間の絡合や含有された高分子弾性体により基材内に固定されてはいるが、立毛調人工皮革の立毛面や銀面調人工皮革の銀面層との接着界面においては、繊維長が短いので不織布構造体から比較的容易に引き抜かれ、あるいは脱落する傾向は避けられない。この傾向により、立毛面の摩擦耐久性や、銀面層の接着剥離強力などの重要な表面物性が低下する。この問題を解決するために、例えば不織布構造体の絡合度合いを大きくしたり、繊維同士を接着させ、あるいは繊維同士を強く拘束するために高分子弾性体を多量に含有させたりする方法が一般的に採用されている。しかし、絡合度合いを大きくしたり、高分子弾性体の含有量を増加させたりすると、一方で人工皮革の風合いが顕著に悪化し、外観や風合いと表面物性を同時に満足させることは困難であった。
【０００５】
立毛調人工皮革における立毛繊維の耐ピリング性に代表される表面摩擦耐久性の改良については、例えば０．８デニール以下の極細繊維からなる極細繊維束を発生する海島型繊維からなるニードルパンチ絡合不織布をポリビニルアルコール（以下、ＰＶＡと略すこともある。）水溶液へ浸漬し、乾燥することで不織布の形状を仮固定し；海島型繊維の海成分を溶解する有機溶剤で海成分を抽出除去し；ポリウレタンのジメチルホルムアミド（以下、ＤＭＦと略すこともある。）溶液を含浸し凝固し；次いで表面を起毛することで得られるスエード調人工皮革が提案されている（特許文献１参照）。該極細繊維中に、繊維径の４分の１より大なる径を有し、かつ繊維に対して不活性な粗大粒子を添加することが提案されている。
【０００６】
特許文献２では、海島型繊維からなるニードルパンチ絡合不織布に、ポリウレタンのＤＭＦ溶液を含浸し凝固し、次いで海成分を抽出除去して得られた皮革様基材を起毛することによりスエード調人工皮革を製造している。該基材を構成している繊維束は、０.０２〜０.２デニールの細繊維（Ａ）と、細繊維（Ａ）の平均繊度の１／５以下でかつ０.０２デニール未満の繊度の極細繊維（Ｂ）とからなり、その本数の比（Ａ／Ｂ）は２／１〜２／３である。繊維束内部には実質的に高分子弾性体が含有されておらず、立毛繊維中の細繊維（Ａ）と極細繊維（Ｂ）の本数の比（Ａ／Ｂ）は３／１以上である。
【０００７】
また、溶剤で立毛繊維の根元に存在する高分子弾性体の一部を溶解し、立毛繊維の根元を固定することによりスエ―ド調人工皮革の耐ピリング性を改良する方法が提案されている（特許文献３参照）。
【０００８】
特許文献４は、きめの細かい表面タッチのヌバック調人工皮革に転換することのできる長繊維不織布を得るために、ニードルパンチによって絡合させる際に長繊維を積極的に切断して不織布表面に５〜１００個／ｍｍ２の繊維の切断端を発現させ、長繊維不織布において特徴的な絡合処理によるひずみを解消することを提案している。また、不織布の厚み方向と平行任意の断面において、繊維束が幅１ｃｍ当たり５〜７０本の範囲で存在（即ち、不織布の厚み方向と平行任意の断面において、ニードルパンチによって厚み方向に配向した繊維が、幅１ｃｍ当たり５〜７０本の範囲で存在）させ、かつ、繊維束の占める総面積が、不織布の厚み方向に直交する任意の断面において、該断面積の５〜７０％の範囲にすることを提案している。
【０００９】
特許文献５は、０．５デニール以下の極細繊維に変換可能な長繊維からなり、該長繊維の捲縮度が１０％以下であり、かつ、不織布の繊維密度が０．２５〜０．５０ｇ／ｃｍ３である長繊維絡合不織布を提案している。
【００１０】
しかしながら、特許文献１に記載の方法では、海島型繊維の海成分を抽出除去した後にポリウレタンのＤＭＦ溶液を含浸凝固しているので、極細繊維束の内部へポリウレタンが侵入し、風合いの硬化が避け難い。また、繊維中に粗大粒子が添加されていることから、柔軟な風合いや手触りを得難い。
特許文献２に記載の方法では、海島型繊維の海成分を抽出除去する前にポリウレタンのＤＭＦ溶液を含浸凝固しているので極細繊維束の外周部および内部にはポリウレタンが実質的に存在せず柔軟な風合いや手触りを得ることが可能である。しかし、極細繊維束がポリウレタンで固定されていないので耐ピリング性は不十分であった。
特許文献３に記載の方法では、皮革様基材の最表面に存在する高分子弾性体の一部を溶解して立毛繊維の根元を固定するのみで、皮革様基材内部の繊維の固定効果に乏しく、繊維に対する高分子弾性体の把持能力が低い為、０．０１デシテックス以上の繊維に対しては、良好な耐ピリング性の改良効果が得られない。
特許文献４の長繊維不織布構造を得るための方法では、目的とするレベル以下にまで物性を極力低下させないように切断端を発現させている。しかし、実際問題として、相当数の長繊維を切断してしまうので、長繊維の利点である繊維の連続性による不織布強力物性の改善効果を低下させてしまい、長繊維の特徴を充分に生かすことができない。また、特許文献４の絡合処理は、長繊維同士を長繊維不織布の表面から内部、さらには反対面に渡って絡合させるためではなく、表面の長繊維を満遍なく切断して５〜１００個／ｍｍ２という極めて多くの切断端を作り出すために行っている。従って、一般的な絡合で採用されるよりはかなり強い条件でニードルパンチする必要があり、繊維同士が絡合しにくいばかりか、元は長繊維だった繊維の多くが短繊維に変化していて、不織布構造としては長繊維のままで絡合させたものとは異なる状態となり、結果的には従来の短繊維不織布から得られるような人工皮革の品位・品質に近づいたものになりやすく、本発明が目的とするような高品位な人工皮革を得ることは困難である。
特許文献５に記載されている方法では、繊維密度の数値のみでみると比較的緻密性が高い長繊維不織布が得られているが、緻密化の方法がニードルパンチおよびプレスのみなので、得られた不織布構造には百μｍ大から数百μｍ大程度の空隙が散在しており、本発明が目的とするような高品位な人工皮革を得ることは困難である。より詳しくいうと、繊維径やニードルパンチ条件によるがニードルパンチ後の不織布構造には、本質的に数百μｍ大から数ｍｍ大程度の空隙を有しており、次いで、繊維の一成分を熱軟化させつつ厚さ方向にプレスすると、厚さ方向に潰れた状態で海成分の固化と共に形状が固定されるだけで空隙自体はそのまま残ってしまう。従って、海成分を除去すると海成分による固定がなくなるので、潰れていた空隙の大きさは元に戻ってしまい、結果的には百μｍ大から数百μｍ大程度の空隙が散在する構造となってしまのである。
【００１１】
【特許文献１】特開昭５３−  ３４９０３号公報（第３〜４頁）
【特許文献２】特開平  ７−１７３７７８号公報（第１〜２頁）
【特許文献３】特開昭５７−１５４４６８号公報（第１〜２頁）
【特許文献４】特開２０００−２７３７６９号公報（第３〜５頁）
【特許文献５】特開平１１−２００２１９号公報（第２〜３頁）
【発明の開示】
【発明が解決しようとする課題】
【００１２】
従来、立毛調人工皮革においては、優美で緻密な立毛感と極細繊維立毛の発色性；柔らかな膨らみ感と充実感；極細繊維立毛の柔らかな表面タッチと耐ピリング性で代表される表面摩擦耐久性などを兼備することが困難であった。銀面調人工皮革においては、銀面部と基材部のバランス、例えば、平滑性が高くて緻密な折れシボを表現しうるハードな性質と柔軟性が高い基材部と一体感を表現しうるソフトな性質のバランス；柔らかな膨らみ感と充実感を有する銀面部と基材部の風合い；基材部の高い柔軟性による柔らかな風合いと銀面−基材界面における接着剥離強力で代表される表面機械物性などを兼備することが困難であった。
【００１３】
本発明は、人工皮革用基材において、従来は相反する性能であると認識されてきた感性面の性能と物性面での性能とを、いずれも高いレベルで兼備した人工皮革用基材を提供することである。本発明の基材を用いることで、従来にない高い品位と高い物性を兼備した人工皮革を得ることが可能となる。
【課題を解決するための手段】
【００１４】
上記課題を達成すべく本発明者らは鋭意研究を重ねた結果、本発明に至った。すなわち、本発明は、極細長繊維束の不織布構造体からなる人工皮革用基材において、下記（１）〜（４）：
（１）極細長繊維束が、断面形状が略円形の極細長繊維が８〜７０本集束したものであること、
（２）極細長繊維束が、断面積１７０〜７００μｍ２、扁平率４．０以下であること、
（３）不織布構造体の厚さ方向と平行任意の断面において、極細長繊維束の断面が１５００〜３０００個／ｍｍ２の範囲で存在していること、および
（４）不織布構造体の厚さ方向と平行任意の断面において、極細繊維束間の空隙サイズが７０μｍ以下であること、
を同時に満足していることを特徴とする人工皮革用基材に関する。
本発明はさらに、下記工程（ａ）〜（ｄ）を順次実施することを特徴とする人工皮革用基材の製造方法に関する。
（ａ）島成分に熱収縮性ポリマー、海成分に水溶性ポリマーを用い、島数が８〜７０個、海と島の断面積比が５：９５〜６０：４０、断面積が７０〜３５０μｍ２の海島型長繊維を溶融紡糸し、これをカットすることなくランダムな配向状態で捕集面上集積してシート状の長繊維ウェブを製造する工程
（ｂ）長繊維ウェブを、必要に応じて複数重ね合わせ、少なくとも６バーブのニードルを用い、かつ該ニードルの少なくとも１つ以上のバーブが貫通するような条件で、両面からニードルパンチングして海島型長繊維同士を三次元絡合させて不織布構造体を製造する工程
（ｃ）不織布構造体を海成分ポリマーが可塑化し、かつ島成分ポリマーが収縮するような条件で湿熱処理し、必要に応じて乾熱プレス処理して、厚さ方向に並行断面において海島型長繊維の断面が１０００〜３５００個／ｍｍ２の範囲になるまで緻密化する工程
（ｄ）海島型長繊維から海成分を水または水溶液により除去し、極細長繊維束に変成させる工程
【発明の効果】
【００１５】
本発明の人工皮革用基材では、極細繊維束が従来にない緻密な状態に集合しているので、緻密性が極めて高く、平滑性に優れた表面状態が得られる。本発明の人工皮革用基材を用いると、天然皮革に勝るとも劣らない滑らかで優美な外観やタッチを有すると共に、発色性、膨らみ感のある風合いおよび耐ピリング性などの表面摩擦耐久性に優れた立毛調人工皮革を得ることができる。また、天然皮革に勝るとも劣らない平滑でありながら柔らかで膨らみ感のある風合いおよび接着剥離強力などの表面強度に優れた銀面調人工皮革を得ることができる。
【発明を実施するための最良の形態】
【００１６】
本発明の人工皮革用基材は、例えば、以下の工程（ａ）〜（ｄ）を順次実施することにより得ることができる。
【００１７】
工程（ａ）
島成分に熱収縮性ポリマー、海成分に水溶性ポリマーを用い、海成分ポリマーと島成分ポリマーを複合紡糸用口金から押出し、海島型長繊維を溶融紡糸する。
複合紡糸用口金は、海成分ポリマー中に島成分ポリマーが８〜７０個の範囲における何れかの個数分散した断面状態を形成することができるノズル孔が直線状に多数並んだ列が並列状に複数列配置された構造のものが好ましい。
得られる繊維の断面において面積比（即ちポリマー体積比）で海／島＝５／９５〜６０／４０の範囲における何れかの比率となるように海成分ポリマーと島成分ポリマーの相対的な供給量または供給圧力を調節しつつ口金温度が１８０〜３５０℃の温度範囲における何れかの温度となるような温度条件にて溶融状態で口金から吐出する。
得られる海島型長繊維の断面積は７０〜３５０μｍ２の範囲における何れかの値であり、単繊度は、例えば、島成分ポリマーがポリエチレンテレフタレート、海成分ポリマーが水溶性熱可塑性ポリビニルアルコールであれば、複合するポリマーの面積比率にもよるが、０．９〜４．９ｄｔｅｘの範囲における何れかの値が好ましく、より好ましくは１．９〜３．９ｄｔｅｘの範囲における何れかの値である。
溶融紡糸された海島型長繊維をカットすることなく、ランダムな配向状態でネット等の捕集面状に集積して、所望の目付、好ましくは１０〜１０００ｇ／ｍ２の長繊維ウェブを製造する。
【００１８】
工程（ｂ）
前記長繊維ウェブを、必要に応じてクロスラッパー等を用いて厚さ方向に複数層重ね合わせた後、少なくとも６バーブのニードルを用い、かつ該ニードルの少なくとも１つ以上のバーブが貫通する条件で、両面から同時または交互にニードルパンチングして繊維同士を三次元絡合させ、厚さ方向に並行断面において海島型長繊維が４００〜２０００個／ｍｍ２の範囲における何れかの密度で存在する、海島型長繊維が極めて緻密に集合した不織布構造体を得る。長繊維ウェブにはその製造後かつ絡合処理までのいずれかの段階で帯電防止効果を有する油剤やニードルとの摩擦抵抗をコントロールするための油剤、繊維同士の摩擦抵抗をコントロールするための油剤などを単一あるいは複数種付与してもよい。
【００１９】
工程（ｃ）
工程（ｂ）により得られた不織布構造体を、海成分ポリマーが可塑化し、かつ島成分ポリマーが収縮するような湿熱環境中へ導入する湿熱処理によって、また、必要に応じて熱プレス処理を追加して行うことで、厚さ方向に並行断面において海島型長繊維の断面が１０００〜３５００個／ｍｍ２の範囲になるまで緻密に集合させる。前記湿熱処理としては、飽和水蒸気を連続供給している雰囲気中へ導入する方法、海成分ポリマーが所望の程度まで膨潤・可塑化するに足る量の水を不織布構造体に付与した後、加熱エアーや赤外線などの電磁波により不織布構造体中の水分を加熱する方法、あるいはそれらを組み合わせた方法などが挙げられる。前記熱プレス処理は、繊維構造を緻密にする効果に加え、不織布構造体の形態を固定化する効果、あるいは表面を平滑化する効果も期待できる。
工程（ｃ）による緻密化処理後の不織布構造体の平均見掛け密度は、例えば、島成分ポリマーがポリエチレンテレフタレート、海成分ポリマーが水溶性熱可塑性ポリビニルアルコールであれば、０．３〜０．８ｇ／ｃｍ３の範囲における何れかの値であるのが好ましい。なお、平均見掛け密度は、圧縮させるような荷重を掛けない方法、例えば電子顕微鏡等での断面観察による方法による。不織布構造体の目付は通常で１００〜２０００ｇ／ｍ２あるのが好ましい。
【００２０】
工程（ｄ）
（ｄ）不織布構造体を構成する海島型長繊維から海成分ポリマーを水または水溶液により抽出除去し、海島型長繊維を極細繊維束に変成させる。
【００２１】
上記のようにして得られた人工皮革用基材について、さらに以下の工程（ｅ）〜（ｈ）を順次行うことにより、本発明の効果を有し、スエード調、ヌバック調などの天然皮革に勝るとも劣らない外観やタッチを備えた立毛調人工皮革により好適な人工皮革用基材を得ることができる。
工程（ｅ）
不織布構造体の少なくとも片面に、易抽出性高分子の溶液、水分散液または融液を塗布し、易抽出性高分子を固化させる。
工程（ｆ）
同じ面に高分子弾性体の水分散液を塗布し、高分子弾性体を固化させる。
工程（ｇ）
不織布構造体から易抽出性高分子を除去する。
工程（ｈ）
高分子弾性体を塗布した面を加圧しつつ研削処理して、不織布構造体の厚さ方向と平行任意の断面の研削処理側表面から２００μｍまでの範囲において、極細繊維束間の平均空隙サイズが１０〜４０μｍの範囲になるよう緻密化する。
【００２２】
また、上記した人工皮革用基材の製造方法において、工程（ｄ）を行う前、または工程（ｄ）を行った後で、必要に応じて以下の工程（ｉ）を行うことにより、本発明の効果を有し、被覆層との一体感などの風合いに優れた銀付調人工皮革により好適な人工皮革用基材を得ることができる。
工程（ｉ）
不織布構造体に高分子弾性体の溶液または水分散液を含浸し、高分子弾性体を固化させる。
【００２３】
以下、本発明を達成するための手段について、より詳しく説明する。
本発明の不織布構造体を構成する海島型繊維とは、少なくとも２種類のポリマーからなる多成分系複合繊維であって、繊維断面において繊維外周部を主として構成する海成分ポリマー中に、これとは異なる種類の島成分ポリマーが分布した断面形態の繊維のことである。本発明の島成分ポリマーは、表面張力の作用、および海成分ポリマーと島成分ポリマーとの比率を好適に選ぶことによって、略円形の断面形状で分布する。なお、ここでいう略円形とは、文字通り円に近い形状をいい、円形かそれに近い多角形形状や楕円形状を言う。この海島型繊維は、所望の緻密さの不織布構造体を形成させた後、さらに必要に応じて高分子弾性体を含浸させる場合はその前または後の適当な段階で海成分ポリマーを抽出または分解して除去することで、残った島成分ポリマーからなり元の海島型繊維より細い複数本の繊維が集束した繊維束を生成可能である。このような海島型繊維は、従来公知のチップブレンド（混合紡糸）方式や複合紡糸方式で代表される多成分系複合繊維の紡糸方法を用いて得ることができる。海島型繊維は、繊維断面において海成分ポリマーが繊維外周部を主として構成しているので、繊維外周を複数成分が交互に構成するような花弁形状や重畳形状などの剥離分割型複合繊維に比べると、ニードルパンチ処理で代表的される繊維絡合処理時の割れ、折れ、切断などの繊維損傷を極めて少なくすることができ、即ち絡合による緻密化度合いをより高めることができる。また、海島型繊維は、剥離分割型複合繊維に比べると、繊維軸に垂直な面内方向における異方性がより少なく、また、個々の極細繊維の繊度、即ち断面積の均一性が高い極細繊維束が得られるので、不織布構造体において非常に多くの繊維束を従来にない緻密さで集合させることができる。従って、本発明の不織布構造体は、花弁形状や重畳形状などの剥離分割型複合繊維では得られないようなこれらの効果を得るために、海島型繊維を用いて製造する。
【００２４】
海島型繊維の島成分を構成するポリマーは、熱収縮ポリマーであることが重要である。例えば、ポリエチレンテレフタレート（以下、ＰＥＴと略記する。）、ポリトリメチレンテレフタレート（以下、ＰＴＴと略記する。）、ポリブチレンテレフタレート（以下、ＰＢＴと略記する。）、ポリエステルエラストマー等のポリエステル系樹脂またはそれらの変性物；熱収縮性ポリアミド系樹脂、熱収縮ポリオレフィン系樹脂またはそれらの変性物など、従来公知の繊維形成能を有する種々の熱収縮ポリマーが好適である。これらの中でも、ＰＥＴ、ＰＴＴ、ＰＢＴ、あるいはこれらの変性ポリエステル等のポリエステル系樹脂を用いることで、熱収縮により本発明が目的とするような極細繊維束が緻密に集合した不織布構造体からなる人工皮革用基材を得ることができ、緻密な表面感、充実感のある風合いなどの感性面での特徴や、耐磨耗性、耐光性、あるいは形態安定性などの実用的な性能が良好な人工皮革製品とすることができる点で特に好ましい。島成分ポリマーは、融点（以下、Ｔｍと略記する。）が１６０℃以上であるのが好ましく、Ｔｍが１８０〜３３０℃の繊維形成性結晶性樹脂であるのがより好ましい。島成分ポリマーのＴｍが１６０℃未満の場合には、得られた極細繊維の形態安定性が本発明が目的とするレベルに達することができず、特に人工皮革製品の実用的な性能の点から好ましくない。本発明において、Ｔｍは、示差走査熱量計（以下、ＤＳＣと略記する。）を用いて、窒素雰囲気下、昇温速度１０℃／分で室温からポリマー種類に応じて３００〜３５０℃まで昇温後、直ちに室温まで冷却し、再度直ちに昇温速度１０℃／分で３００〜３５０℃まで昇温したときに観測されるポリマーの吸熱ピークのピークトップ温度を採用した。本発明において、極細繊維を構成するポリマーには、紡糸段階で着色剤、紫外線吸収剤、熱安定剤、消臭剤、防かび剤、抗菌剤その他各種安定剤などが添加されていてもよい。
【００２５】
海島型繊維の海成分を構成するポリマーは、水溶性ポリマーであることが重要である。そして、海島型繊維を極細繊維束に変成させる必要があるので、採用した島成分ポリマーとは溶剤または分解剤に対する溶解性または分解性を異にする必要があり、紡糸安定性の点から島成分ポリマーとは親和性が小さいポリマーであって、かつ紡糸条件下では溶融粘度が島成分ポリマーより小さいポリマーであるか、あるいは表面張力が島成分ポリマーより小さいポリマーであることが好ましい。好ましい具体例としては、水またはアルカリ水溶液、酸性水溶液などの水溶液により、加熱、加圧などの条件下で溶解除去または分解除去できる水溶性ポリマー、具体的には、ポリビニルアルコール、ポリエチレングリコール、あるいはスルホン酸アルカリ金属塩を含有する化合物などを共重合した変性ポリエステル、ポリエチレンオキシドなどが好ましく、最適な海成分ポリマーは、ポリビニルアルコール単独重合体、ポリビニルアルコール系共重合体などのポリビニルアルコール系樹脂（以下、ＰＶＡと総称する。）である。海成分としてこれらの水溶性ポリマーを用いることで、不織布構造体を湿熱処理する際に、海成分ポリマーが瞬時に膨潤、可塑化し、島成分ポリマーの収縮能を殆ど阻害することがなく、本発明が目的とするような極細繊維束が緻密に集合した不織布構造体からなる人工皮革用基材を得ることができ、緻密な表面感、充実感のある風合いなどの感性面での特徴や、耐磨耗性、耐光性、あるいは形態安定性などの実用的な性能が良好な人工皮革製品とすることができる点で特に好ましい。
【００２６】
前記ＰＶＡは、ビニルエステル単位を主構成単位として有する樹脂をケン化することにより得られる。ビニルエステル単位を形成するためのビニル化合物単量体としては、ギ酸ビニル、酢酸ビニル、プロピオン酸ビニル、バレリン酸ビニル、カプリン酸ビニル、ラウリン酸ビニル、ステアリン酸ビニル、安息香酸ビニル、ピバリン酸ビニルおよびバーサティック酸ビニル等が挙げられ、これらの中でもＰＶＡを容易に得る点からは酢酸ビニルが好ましい。
【００２７】
前記ＰＶＡは、ホモＰＶＡであっても共重合単位を導入した変性ＰＶＡであってもよいが、溶融紡糸性、水溶性、繊維物性の観点からは、変性ＰＶＡを用いることが好ましい。変性に用いる共重合モノマーの種類を適宜選択することで、ＰＶＡの水溶性を低下させることなく、海島型繊維を安定に製造することができる。共重合単量体の種類としては、共重合性、溶融紡糸性および繊維の水溶性の観点からエチレン、プロピレン、１−ブテン、イソブテン等の炭素数４以下のα−オレフィン類；および、メチルビニルエーテル、エチルビニルエーテル、ｎ−プロピルビニルエーテル、イソプロピルビニルエーテル、ｎ−ブチルビニルエーテル等のビニルエーテル類が好ましい。ＰＶＡ中の共重合単位含有量は、１〜２０モル％が好ましく、４〜１５モル％がより好ましく、６〜１３モル％がさらに好ましい。さらに、共重合単位がエチレンであると繊維物性が高くなるので、エチレン変性ＰＶＡが特に好ましい。エチレン変性ＰＶＡ中のエチレン単位含有量は、好ましくは４〜１５モル％、より好ましくは６〜１３モル％である。
【００２８】
前記ＰＶＡは、塊状重合法、溶液重合法、懸濁重合法、乳化重合法などの公知の方法で製造される。その中でも、無溶媒あるいはアルコールなどの溶媒中で重合する塊状重合法や溶液重合法が通常採用される。溶液重合の溶媒として使用されるアルコールとしては、メチルアルコール、エチルアルコール、プロピルアルコールなどの低級アルコールが挙げられる。共重合には、ａ、ａ’−アゾビスイソブチロニトリル、２，２’−アゾビス（２，４−ジメチル−バレロニトリル）、過酸化ベンゾイル、ｎ−プロピルパーオキシカーボネートなどのアゾ系開始剤または過酸化物系開始剤などの公知の開始剤が使用される。重合温度については特に制限はないが、０℃〜１５０℃の範囲が適当である。
【００２９】
前記ＰＶＡの粘度平均重合度（以下、重合度と略記する。）は、２００〜５００が好ましく、２５０〜４７０がより好ましく、３００〜４５０がさらに好ましい。重合度が２００以上だと、溶融粘度が安定的に複合化させるのに十分高い値を示し、重合度が５００以下だと、溶融粘度が紡糸ノズルから容易に吐出させるのに十分低い値を示す。また、重合度５００以下の、いわゆる低重合度ＰＶＡを用いることで、水または水溶液によって除去する際の溶解速度が速くなるという利点が有る。ＰＶＡの重合度は、ＪＩＳ−Ｋ６７２６に準じて次式により求められる。
Ｐ＝（［η］×１０３／８．２９）（１／０．６２）
（Ｐは粘度平均重合度、［η］はＰＶＡを再ケン化し、精製した後、３０℃の水中で測定した極限粘度である。）
前記ＰＶＡのケン化度は、９０〜９９．９９モル％が好ましく、９３〜９９．７７モル％がより好ましく、９５〜９９．５５モル％がさらに好ましく、９７〜９９．３３モル％が特に好ましい。ケン化度が９０モル％以上だと、熱安定性が良好であり、溶融紡糸時に熱分解やゲル化をしにくくなり、ケン化度が９９．９９モル％以下であれば、ＰＶＡは安定に製造することが可能である。
前記ＰＶＡのＴｍは、紡糸性を考慮すると１６０℃以上が好ましく、１７０〜２３０℃がより好ましく、１７５〜２２５℃がさらに好ましく、１８０〜２２０℃が特に好ましい。Ｔｍが１６０℃以上であると、結晶性低下によるＰＶＡの繊維強度低下を避けることができる。また、ＰＶＡの熱安定性が良好であり、繊維形成性が良好である。Ｔｍが２３０℃以下であると、溶融紡糸温度をＰＶＡの分解温度より十分低くすることができ、極細繊維束形成性長繊維を安定に製造することができる。
【００３０】
海島型繊維中に占める海成分ポリマーの比率は、繊維断面における面積比率で５〜６０％の範囲の何れかの比率で設定するのが重要であり、１０〜５０％が好ましい。海島型繊維中の海成分ポリマー比率が５％より小さくなると、海島型繊維の紡糸安定性が低下するので工業的生産性が劣る。また、海成分が少ないことにより、海島型繊維を湿熱収縮させる際に、島成分同士の摩擦や干渉を緩和させる効果が不足するのか、目的とする収縮状態、緻密化が得られなかったり、不織布構造体に  高分子弾性体の溶液または水分散液を含浸、固化させた場合に、海成分を除去した後で極細繊維束と高分子弾性体との間に形成されるべき空隙が不十分であったりする。その結果、膨らみ感や充実感、緻密な表面感などの本発明が目的とする効果が得られ難くなってしまう。一方、海成分ポリマー比率が６０％を超えると、海島型繊維の断面における島成分の形状や分布状態が不安定になって、品質安定性が劣るばかりか、海島型繊維を湿熱収縮させる際に、収縮能を有する島成分が相対的に不足するのか、目的とする収縮状態、緻密化が得られなくなるケースも見られる。その結果、やはり本発明が目的とする効果が得られ難くなってしまう。また、海成分ポリマーの比率は高いほど、海成分を除去した後の人工皮革用基材において極細繊維量が少なくなるので、形態安定性を所望のレベルにするために含有させる必要がある高分子弾性体量が顕著に増大する傾向にある上、除去した海成分ポリマーを回収するために必要なエネルギーやコストの面で工業生産上の負荷が増大するばかりか、地球環境への負荷も当然ながら増大する。従って、前記した諸要因が許す範囲で、海成分ポリマーの比率はより低く設定するのが好ましい。
【００３１】
本発明において海島型繊維は長繊維の形態で用いる。長繊維とは、短繊維のように一般的に１０〜５０ｍｍ程度の繊維長に意図的に切断されていない繊維であり、長繊維の繊維長は一概には特定できない。ただし、本発明の効果を奏するためには、極細化する前の長繊維の繊維長は、１００ｍｍ以上が好ましく、また、技術的に製造可能であって、かつ、物理的に切れない限りは、数ｍ、数百ｍ、数ｋｍ、あるいはそれ以上の繊維長であってもよい。
【００３２】
海島型繊維の紡糸には複合紡糸用口金を用いる。１つのノズル孔に対して８〜７０個の範囲における何れかの個数が平均的に配された島成分ポリマー用流路と、その島成分ポリマー用流路を取り囲むように配された海成分ポリマー用流路とを有する多数のノズル孔が、直線状または円形状に等間隔に並び、さらに、直線状であれば並列状に、また円形状であれば同心円状に複数列配置されている。海成分ポリマーと島成分ポリマーからなる溶融状態の海島型複合繊維を個々のノズル孔から連続的に吐出させる。ノズル孔直下から後述する吸引装置までの間の何れかの段階で冷却風により実質的に冷却固化しながら、エアジェット・ノズルなどの吸引装置を用いて高速気流を作用させ、複合繊維が目的の繊度にてなるよう均一に牽引細化する。高速気流は、通常の紡糸における機械的な引取り速度に相当する平均紡糸速度が１０００〜６０００ｍ／分の範囲における何れかの速度となるように作用させる。さらに、得られる繊維ウェブの地合いなどに応じて複合繊維を衝突板や気流等により開繊させながら、コンベヤベルト状の移動式ネットなどの捕集面上に、ネットの反対面側から吸引しながら、捕集・堆積させることで長繊維ウェブを形成する。
複合紡糸用口金が同心円状配置の場合、一般的には１つの口金に対して１つのノズル状吸引装置が使用される。このため吸引の際に多数の海島型繊維が同心円の中心点に集束してしまう。一般的には、複数の口金を直線状に並べて所望の紡糸量を得ているので、隣接する口金から吐出される海島型繊維の束の間には、繊維が殆ど存在していない。従って、繊維ウェブの地合いを均一な状態にするためには開繊することが重要になる。複合紡糸用口金が並列状配置であれば、口金に対向した直線的なスリット状の吸引装置が使用される。このため、並列に配置された列間からの海島型繊維が吸引の際に集束するので、同心円状配置の口金を採用した場合に比べるとより均一な地合いの繊維ウェブが得られる。この点で、同心円状配置に比べると並列状配置の方がより好ましい。
【００３３】
得られた長繊維ウェブは、後工程において必要となる形態安定性に応じて、引き続きプレス、エンボス等により部分的に加熱または冷却しつつ圧着することも好ましい。海成分ポリマーの溶融粘度が島成分ポリマーより小さい場合には、溶融温度までの高温を付与せずとも、６０〜１２０℃程度の温度範囲における何れかの温度で加熱または冷却することにより、長繊維ウェブを構成する海島型繊維の断面形状を大きく損なうことなく、長繊維ウェブの地合いをその後の工程でも十分に保持することができる。さらに、長繊維ウェブの形態安定性を、巻き取りなどの取り扱いが可能なレベルにまで向上させることも可能である。
【００３４】
従来の人工皮革が一般的に採用してきた、短繊維をカード機により繊維ウェブにする方法は、カード機だけでなく、カード機通過に好適な油剤および捲縮の付与、所定の繊維長へのカット、カット後の原綿の搬送および開繊などに一連の大型設備を必要とし、生産速度、安定生産、コストなどの点において問題がある。また、短繊維を経由する他の方法として抄紙法があるが、この方法もカット設備などの付帯設備を必要とするので、やはり前記方法と同様の問題を有する上、製造可能な不織布目付は高々２００ｇ／ｍ２程度までに留まるので、人工皮革製品が適用可能な用途が非常に限定的である。これらの短繊維を用いる方法に対して、本発明の製造方法は、紡糸から繊維ウェブ形成が途切れることのないいわば１つの工程として実施され、設備が非常にコンパクトで簡潔であり、生産速度やコストに優れる。また、従来のような種々の工程、設備を組み合わせることによる複合的な問題が生じ難いので、安定生産性にも優れる。さらに、従来の繊維間の絡合や高分子弾性体による拘束のみに頼っていた短繊維使用の不織布構造体に比べると、長繊維から得られる不織布構造体、それを用いた人工皮革用基材や人工皮革は、形態安定性、即ち機械的強度や表面摩擦耐久性、銀面の接着剥離強力などの物性面において優れた特性を発揮する。
【００３５】
本発明の製造方法によれば、従来のカード機を採用する方法では困難であった、繊維径が極めて細い繊維を用いることが可能であり、さらには、捲縮を付与する必要がなく、繊維自体が嵩高くならないので、機械的に集積させる段階から、従来の不織布構造体より極めて緻密な状態が安定的に得られ、また後述する方法も組み合わせることで、従来の人工皮革では実現不可能であった極めて高い品位の人工皮革を得ることができるのである。
繊維径に関しては、従来の短繊維を用いた不織布構造体を製造する場合には、開繊装置やカード機に適した一定以上の繊維径が必要である。具体的には、断面積が２００μｍ２以上の太さは必要であり、工業的な安定生産性を考慮すると、３００〜６００μｍ２程度の太さの繊維が一般的に採用されてきた。本発明の製造方法では、使用する繊維の太さが設備によって制約されることがないので、断面積が１００μｍ２以下といった極めて細い繊維であっても使用可能であるが、本発明が目的とする不織布構造の緻密さを得るためには、断面積は７０〜３５０μｍ２である必要があり、後工程での形態安定性、取り扱い性も考慮すると８０〜３００μｍ２が好ましい。このような断面積の長繊維を使用することで、得られた長繊維ウェブは、厚さ方向と平行任意の断面において、断面とほぼ直交する繊維の断面が、１００〜６００個／ｍｍ２、好ましくは１５０〜５００個／ｍｍ２の範囲の平均数密度で存在する繊維分布状態が得られ、後工程での絡合や収縮等により最終的に本発明の緻密な不織布構造体を得ることが可能となる。
【００３６】
本発明では、得られる人工皮革用基材を構成する不織布構造体の緻密性が重要であり、とりわけ人工皮革用基材の表層部を構成する不織布構造の緻密性を向上させる必要がある。このため、海島型繊維から海成分ポリマーを除去することで得られる極細長繊維束の断面積は、少なくとも７００μｍ２以下である必要がある。７００μｍ２以下という断面積は、例えば極細長繊維を構成するポリマーがポリエチレンテレフタレートの場合に、極細繊維束の繊度が、大凡１０ｄｔｅｘ以下であることに相当する。極めて高品位な立毛調人工皮革や、緻密な折れシボの銀付調人工皮革が得られるような人工皮革用基材とするためには、このような太さの繊維束によって得られる不織布構造体の緻密さが必要なのである。とりわけヌバック調のような極細繊維立毛が短くて緻密な表面感を有する人工皮革を目的とする場合には、極細長繊維束の断面積は５００μｍ２以下が好ましく、４００μｍ２以下がより好ましい。極細長繊維束の断面積の下限値は、上記した上限値ほど人工皮革用基材の特性に影響するものではないが、細くし過ぎると人工皮革の強度や表面摩擦耐久性などが顕著に低下することもあること、及び人工皮革の製造工程上の制約などから、本発明においては、極細長繊維束の断面積は少なくとも１７０μｍ２以上である必要があり、１８０μｍ２以上であるのが好ましく、より好ましくは１９０μｍ２以上である。
【００３７】
本発明では、１つの極細繊維束を構成する極細長繊維の本数は、極細長繊維束の易屈曲性、即ち不織布構造体内での易絡合性や最終的に得られる人工皮革用基材の易屈曲性などの点から８本以上であり、極細長繊維束の易屈曲性や断面形状における変形性、さらには最終的に得られる人工皮革用基材の発色性などの点から７０本以下である。また、極細長繊維の本数は、１０〜６０本が好ましく、１２〜４５本がより好ましい。極細長繊維の本数が７本以下だと、極細長繊維束の易屈曲性に劣るばかりか、不織布構造体に高分子弾性体を含有させた場合の拘束本数率、即ち極細長繊維束の構成本数に占める最外周に配置された本数の比率が多くなるので、高分子弾性体によって極細長繊維束の易屈曲性が阻害され易く、少量の高分子弾性体でも風合いが硬化し易い。従って、高分子弾性体の含有状態の斑が人工皮革用基材の風合いの斑として顕在化し易いので、工業製品としての価値が認められ難くなる。一方、極細長繊維の本数が７０本を超えると、１本１本の極細長繊維自体の易屈曲性には優れるが、極細長繊維束内での極細長繊維同士の接触面積の増大により相殺されるのか、易屈曲性がむしろ劣ってくる傾向にある。また、極細長繊維束の断面形状において、繊維軸に直角な方向からの圧縮力による変形、即ち扁平化が起き易く、また繊維束を構成する繊維間が広がって繊維束が散け易くなることで、繊維束の嵩高性が高くなり、不織布構造体における緻密化の限界が低くなってしまう。このような嵩高性は海島型繊維の段階においても同様であり、繊維が断面形状において扁平化し易いということは、不織布構造体における繊維断面の充填効率を低下させるので、海成分除去前から緻密化を阻害してしまう。
このような理由から、繊維束は扁平化し難いよう少なくとも７０本以下である必要があり、最終的に得られた人工皮革用基材における極細長繊維束の扁平率は４．０以下である必要があり、好ましくは３．０以下である。また、極細長繊維束の扁平化による弊害は、特に人工皮革用基材の表面において顕著であり、表面から見たときに繊維束がなす幅、即ち極細長繊維束の投影サイズは、１０〜６０μｍであるのが好ましく、１５〜４５μｍがより好ましい。極細長繊維束の投影サイズが６０μｍを超えると、繊維束の緻密化が不十分で、特に立毛調人工皮革としたときに立毛を形成可能な繊維束が少なくなり、外観品位があまり高くない立毛表面しか得られ難くなる。一方、極細長繊維束の投影サイズが１０μｍ未満だと、繊維束の緻密化は非常にし易いが、繊維束が全く扁平化しないとしても繊維束の径自体が１０μｍ未満の非常に細いものであり、特に立毛調人工皮革の立毛を形成しようとしても、起毛処理による繊維束の切断が頻発するのでむしろ立毛は少なくなってしまい、良好な外観品位が得られ難くなるばかりか、表面の耐磨耗性にも劣るものとなってしまう。
【００３８】
上記したような特徴を有する極細長繊維束とすることで、人工皮革用基材を構成する不織布構造体において、その厚さ方向と平行任意の断面において、断面とほぼ直交する極細長繊維束の断面の個数が、１５００〜３０００個／ｍｍ２も存在するような従来にない極めて緻密な繊維集合構造が得られる。１５００個／ｍｍ２未満の場合、極細繊維束の数密度が少ない分だけ極細繊維束が存在しない空間が生じることになり、しかも極細繊維束は数密度が少ないと均一に分散せず密集した密な領域と殆ど存在しない疎な領域とに分かれて存在しやすい傾向にある上、極細繊維束間に生じた空間が大きくなると厚い高分子弾性体の連続皮膜を形成してしまうので、人工皮革の風合いが硬くなり、極めて大きな粗密斑によって表面外観や表面物性に劣るものとなってしまう。３０００個／ｍｍ２を越える場合、一見すると得られたものは本発明の人工皮革用基材より緻密な繊維集合体ではあるが、熱プレス等によって不織布構造体を厚さ方向に強制的に圧縮しただけの構造であったり、不織布構造体に貼り合わせた収縮性の織編物等の収縮力によって長さ方向や幅方向に強制的に圧縮しただけの構造であったりするので、極細繊維束が圧縮された方向に潰れて扁平化してしまっているので、物性低下や逆に風合いが硬くなる。好ましくは、２０００〜２７００個／ｍｍ２である。
従来の不織布構造体を採用した人工皮革用基材では、不織布構造体を絡合等で緻密化させる段階から、構成繊維の太さが、極細繊維束に変成したときの断面積が３００〜６００μｍ２程度になるような太いものなので、極細繊維束に変成する段階までに不織布構造体の緻密化が不充分であり、これを極細繊維束に変成した結果得られる極細繊維束断面の数密度は高々２００〜６００個／ｍｍ２程度、多くても７５０個／ｍｍ２程度であった。仮に、従来の技術において極細繊維束の数密度が７５０個／ｍｍ２を超える不織布構造体を得ようとした場合には、ニードルパンチ処理を過剰に行うことで繊維束自体を損傷させてしまったり、前記したような熱プレス等による強制的な圧縮処理によって繊維束の断面形状を大きく変形させてしまったり、あるいはそのような処理のみに頼って緻密化しようとした結果として繊維束間の空隙に斑が大きい状態しか得られず、得られる人工皮革用基材は、本発明で目的とするものとは全く異なるものである。また、繊維束の数密度が高々２００〜６００個／ｍｍ２程度の従来の不織布構造体では、その内部に高分子弾性体を含有させる場合には、含有させる量にもよるが、極細繊維束の数密度が少ない分だけ極細繊維束間に厚い高分子弾性体の連続皮膜を形成してしまうので、不織布構造体と高分子弾性体との複合構造としての風合いが必要以上に硬くなるばかりか、繊維または高分子弾性体が緻密に集合して存在する領域と繊維も高分子弾性体も殆ど存在しない領域とがそれぞれ処々に点在するような極めて大きな粗密斑のあるものしか得られなかった。これに対して、本発明の不織布構造体は、極細繊維束が極めて緻密かつ均一に集合した超緻密構造を有するので、不織布構造体内に高分子弾性体に含有させる場合でも、極細繊維束間に形成させる高分子弾性体の連続皮膜の厚さを薄くすることができ、また高分子弾性体に囲まれたセルもより小さく、均一に分布させることができるので、人工皮革用基材内部に顕著な粗密斑が発生するのを抑制することが可能となる。
【００３９】
本発明では、前記したような要件を満足する極細長繊維束により不織布構造体が構成されていれば、極細長繊維自体の繊維径は特に限定されるものではないが、本発明が目的とする優美な外観やタッチを有するような立毛面を形成させるためには、少なくとも立毛部分においては極細長繊維が０．８〜１５μｍであることが好ましく、より好ましくは１．０〜１３μｍであり、特に好ましくは１．２〜１０μｍであり、１．５〜８．５μｍであるのが最も好ましい。極細長繊維の繊維径が１５μｍを超えると、立毛調人工皮革としたときの外観品位に悪影響、例えば表面の立毛色に斑が発生したり、タッチの滑らかさが阻害されたりすることがあるので好ましくない。一方、極細長繊維の繊維径が１．０μｍ未満だと、立毛調人工皮革としたとき、立毛感は緻密になるものの、トータルでの外観品位や表面物性に悪影響を生じるようになる。例えば、表面の立毛色が白っぽくなってしまったり、耐ピリング性などの表面の耐磨耗性が悪化したりすることがある。
【００４０】
得られた長繊維ウェブの目付けや厚さが不足している場合は、所望の目付け、厚さになるようにラッピング（１枚の長繊維ウェブを工程の流れ方向に対して直行する方向から供給し、ほぼ幅方向に折り畳むか、工程の流れ方向に対して並行方向から供給したウェブをその長さ方向に折り畳むこと）や積重（複数枚の長繊維ウェブを重ねること）を行って調整する。海島型繊維からなる不織布構造体の形態安定性や繊維の緻密性が不足している場合や、不織布構造体の海島型繊維の厚さ方向への配向を調節する場合には、ニードルパンチ法などの公知の方法により機械的な絡合処理を行う。これにより、長繊維ウェブを構成する繊維同士、特にラッピングや積重した層状の長繊維ウェブの隣接する層間における繊維同士を三次元絡合させる。ニードルパンチ法により絡合処理する場合は、ニードルの種類（ニードルの形状や番手、バーブの形状や深さ、バーブの数や位置など）、ニードルのパンチ数（ニードルボードに植針されたニードルの密度と該ボードを長繊維ウェブの単位面積当たりに作用させるストローク数を掛け合わせた単位面積当たりのニードルパンチ処理密度）、ニードルのパンチ深さ（長繊維ウェブに対してニードルを作用させる深さ）など各種処理条件を適宜選択して実施する。
【００４１】
ニードルの種類は、従来の短繊維を用いた人工皮革製造において用いられるものと同様のものも適宜用いることが可能であるが、本発明の効果を得る上でニードルの番手、バーブの深さ、バーブの数が特に重要であり、後述するような種類のニードルを主として用いるのが好ましい。
【００４２】
ニードルの番手は、処理後に得られる緻密性や表面品位に影響を与える因子であって、少なくともブレード部（ニードル先端のバーブが形成されている部分）のサイズが３０番（断面形状が正三角形であれば高さが、また円形であれば直径が０．７３〜０．７５ｍｍ程度）より小さい（細い）必要があり、好ましくは３２番（０．６８〜０．７０ｍｍ程度）から４６番（０．３３〜０．３５ｍｍ程度）の範囲であり、より好ましくは３６番（高さ０．５８〜０．６０ｍｍ）から４３番（高さ０．３８〜０．４０ｍｍ程度）の範囲である。ブレード部のサイズが３０番より大きい（太い）ニードルは、バーブの形状や深さの自由度が高く、ニードルの強度や耐久性においても好ましい反面、不織布構造体の表面に大きな孔径のニードルパンチ跡が残り、本発明が目的とする緻密な繊維集合状態や表面品位を得ることが困難である。また、長繊維ウェブ中の繊維とニードルとの摩擦抵抗が大きくなり過ぎるので、ニードルパンチ処理用油剤を過剰に付与する必要があるので好ましくない。一方、ブレード部のサイズが４６番より小さいニードルは、強度や耐久性において工業生産に向かないばかりでなく、本発明において好適な深さのバーブを設定することが困難となる。ブレード部の断面形状は、繊維の引っ掛かり易さや摩擦抵抗の小ささなどの点から、本発明においては正三角形が好ましい。
【００４３】
本発明におけるバーブ深さとはバーブの最深部からバーブ先端までの高さのことである。一般的な形状のバーブでは、ニードル側面より外側に突き出したバーブの先端までの高さ（キックアップということもある）とニードル側面より内側に形成されたバーブの最深部までの深さ（スロートデプスということもある）とを合わせた高さを指す。バーブ深さは、少なくとも海島型繊維の直径以上であり、好ましくは１２０μｍ以下である。バーブ深さが海島型繊維の直径未満だと、海島型繊維がバーブに極めて引っ掛かり難くなるので好ましくない。一方、バーブ深さが１２０μｍを超えると、繊維は極めて引っ掛かり易い反面、不織布構造体の表面に大きな孔径のニードルパンチ跡が残り易く、本発明が目的とする緻密な繊維集合状態や表面品位を得ることが困難となる。また、バーブ深さは海島型繊維の直径に対して１．７〜１０．２倍の範囲における何れかの倍数であるのが好ましく、より好ましくは２．０〜７．０倍の範囲から選択した倍数である。バーブ深さが１．７倍未満だと、海島型繊維がバーブに引っ掛かり難いためか、後述するパンチ数を増やしても、それに見合った絡合効果が得られない場合がある。一方、１０．２倍を超えても海島型繊維の引っ掛かり易さが向上するよりは、むしろ海島型繊維の切断や割れなどの損傷が増大する傾向が強くなるので好ましくない。
【００４４】
本発明におけるバーブの数は、１〜９個までの範囲で所望の絡合効果が得られるように適宜選択すればよいが、本発明が必須とする緻密な不織布構造体を得るためには、ニードルパンチ絡合処理に主として用いるニードル、即ち後述するパンチ数の少なくとも５０％以上のパンチングに用いられるニードルは、バーブ数が６個である必要がある。なお、本発明においては、ニードルパンチ絡合処理に用いるニードルのバーブの数は１種類である必要はなく、例えば１個と６個、３個と６個、６個と９個、１個と６個と９個などの異なるバーブ数のニードルを適宜組み合わせ、任意の順序で使用してもよい。複数個のバーブを有するニードルにおいて、それぞれのバーブの位置は、ニードル先端側からの距離が全て異なるものと、同じ距離にいくつかのバーブを有するものとがある。後者のニードルとしては、例えばブレード部の断面形状が正三角形であって、３つの頂角それぞれにバーブが１個ずつ先端から同じ距離に付いたニードルなどが挙げられる。本発明においては、絡合処理に主として用いるニードルは、前者のニードルを用いる。これは、同じ距離に複数のバーブを有するニードルは、見かけ上ニードルのブレード部が太く、またバーブ深さが大きい効果を有しているので、絡合効果は高いものの、その一方でブレード部が太く、またバーブが深すぎる場合にみられる不都合が顕著に現れるからである。さらには、後者のニードルを用いたニードルパンチ処理を過剰に行うと、１箇所で十数本から数十本という多数の繊維が束になって不織布構造体の厚さ方向に配向した箇所が多くなり過ぎるので、本発明が目的とするような緻密な構造が得られにくくなる傾向がみられる。即ち、不織布構造体の厚さ方向と平行任意の断面において、断面とほぼ平行繊維は多数存在するが、断面とほぼ直交する繊維の数密度が極端に減少する傾向がある。ただし、少ないパンチ数でも強い絡合効果が得られるので、絡合処理の一部に、後者のニードルを用いることも好ましい。例えば、絡合処理の初期段階から中期段階までの任意の段階で、目標の緻密構造を阻害しない程度に後者のニードルで絡合処理し、次いで、前者のニードルを用いて目標の緻密構造にする方法が好ましい態様の１つとして挙げられる。なお、本発明においてバーブ数が６個というのは、ニードル先端の不織布構造体を貫通するバーブから貫通せずとも不織布構造体に実質的に作用するバーブまでの合計個数のことであり、不織布構造体には作用しない部分にあるバーブは含まない。例えば、ニードルに形成されるバーブ数が９個であっても、ニードルが一番深く突き刺さった時点で不織布構造体の外にバーブが３個残るような絡合処理条件を採用すれば、それは実質的にはバーブ数が６個のニードルパンチングと同等の効果を有するからである。
【００４５】
ニードルの合計パンチ数は、８００〜４０００パンチ／ｃｍ２の範囲における何れかの値が好ましく、より好ましくは１０００〜３５００パンチ／ｃｍ２の範囲である。前記した同じ距離にいくつかのバーブを有するニードルを用いる場合には、そのニードルパンチ処理のパンチ数は、３００パンチ／ｃｍ２程度以下、好ましくは１０〜２５０パンチ／ｃｍ２程度の範囲である。前記した同じ距離にいくつかのバーブを有するニードルを用いて３００パンチ／ｃｍ２を超えるようなニードルパンチング処理を行うと、繊維が厚さ方向に多く配向してしまうので、その後の別のニードルを用いたニードルパンチング処理や熱収縮処理、プレス処理などを行っても、不織布構造体の数密度を高くすることが困難になる傾向が強い。ニードルの合計パンチ数が８００パンチ／ｃｍ２未満では、緻密化が不充分なばかりか、特に長繊維ウェブの異層間での繊維同士の絡合による不織布構造体の一体化が不充分な傾向が強くなり、一方、４０００パンチ／ｃｍ２を超えると、前記したニードルの形状にもよるが、繊維のニードルによる切断や割れなどの損傷が目立ち、繊維の損傷が特にひどい場合には、不織布構造体の形態安定性が大幅に低下すると共にむしろ緻密さが低下してしまうこともある。
【００４６】
得られる不織布構造体および人工皮革用基材の形態安定性や引裂き強力などの力学的物性、厚さ方向における繊維の配向性などの観点からは、長繊維ウェブの厚さ全体に渡ってニードルのバーブがより多く作用するのが好ましい。従って、ニードルのパンチ深さは、少なくともニードルの最も先端側にあるバーブが長繊維ウェブの厚さ全体を貫通するような深さに設定するのが好ましい。特に、本発明で必須のバーブが６個のニードルにおいては、本発明が目的とするような絡合効果を最大限に発揮させるために、全てのバーブは貫通させないことが重要である。即ち、最も先端から遠いバーブは長繊維ウェブの中に留まるようなパンチ深さでニードルを作用させるのである。全てのバーブを貫通させると、６個のバーブに引っ掛かった長繊維が全て長繊維ウェブ内から突き出されてしまうので、本発明が目的とするような緻密な構造が得られなくなってしまう。長繊維ウェブを貫通させないバーブの個数は、６個のバーブの内の２個から５個が好ましく、より好ましくは３個または４個である。また、従来にない緻密な構造を実現させるためにも、前記のパンチ数の５０％以上のパンチングは、ニードル先端のバーブが長繊維ウェブを貫通するパンチ深さに設定する必要があり、７０％以上のパンチングをニードル先端のバーブが長繊維ウェブを貫通するパンチ深さで行うのが好ましい。但し、パンチ深さを深くし過ぎると、バーブが６個のニードルの場合には前記したように緻密な構造が得られなくなってしまうだけでなく、バーブが１個、２個、３個、４個、５個、あるいは７個、８個、９個、さらには１０個以上のニードルの場合においても、即ちバーブの個数に依らず、バーブによる繊維の損傷が顕著になり、極端な場合には繊維が切断してしまうような傾向や、パンチング跡が不織布構造体の表面に残り易くなる傾向などがみられるので、ニードル条件を設定する際にはこれらの点にも留意する必要がある。
【００４７】
ニードルパンチ処理による繊維の損傷や切断を抑制し、またニードルと繊維との強い摩擦により生じる帯電や発熱などを抑制するために、長繊維ウェブ製造工程以降、絡合処理工程以前の何れかの段階で油剤を付与するのが好ましい。付与する方法としては、スプレーコーティング法、リバースロールコーティング法、キスロールコーティング法、リップコーティング法などの公知のコーティング法が採用可能であり、中でもスプレーコーティング法が長繊維ウェブに対して非接触であり、かつ、長繊維ウェブ内層に短時間で浸透する低粘度の油剤が使用可能なので最も好ましい。尚、ここでいう長繊維ウェブ製造工程以降とは、海島型繊維を溶融紡糸して移動式ネットなどの捕集面上に捕集・堆積させた段階以降のことを指す。本発明において絡合処理前に付与する油剤は１種類の成分からなる油剤でもよいが、異なる効果を有する複数種の油剤を用い、それらを混合して付与するか、順次付与してもよい。本発明において使用される油剤は、ニードルと繊維との摩擦、即ち金属とポリマーとの摩擦を緩和させる滑り効果の高い油剤であり、具体的には鉱物油系の油剤やポリシロキサン系の油剤が好ましく、後者であればジメチルシロキサンを主体とする油剤がより好ましい。ポリシロキサン系で滑り効果の高い油剤を用いる場合には、滑り効果が強すぎてバーブへの引っ掛かりによる絡合効果が局所的に顕著に低下してしまったり、特に、繊維同士の摩擦係数が顕著に低下することで絡合状態の維持が困難になってしまったりするのを抑制する目的で、摩擦効果の高い油剤、例えば鉱物油系の油剤を組み合わせて使用することも好ましい。但し、本発明では海島型繊維の海成分に水溶性ポリマーを用い、繊維を極細繊維束に変成するのに水または水溶液を用いるので、特にポリシロキサン系の油剤は極細繊維束に変成する際に同時に除去されてしまわず、人工皮革用基材の段階になるまで極細繊維表面や高分子弾性体表面に多くが残存しやすい。従って、得られる人工皮革用基材をスエード調人工皮革に用いる場合には、染色処理に代表される水浴中処理を行う際に残存する油剤によって処理斑、例えば染色状態が斑状になったり、あるいは浴中処理などの仕上げ処理後も完全に除去されずに残存する油剤が不織布構造体への立毛繊維の固定状態を弱くしてしまいピリングになり易くなったりするなどの弊害を生じる場合があるので、特にポリシロキサン系油剤の使用には留意する必要がある。鉱物油系油剤とポリシロキサン系油剤の併用の他にも、摩擦による帯電が顕著な場合には、界面活性剤、例えばポリオキシアルキレン系界面活性剤などを帯電防止剤として併用するのも好ましい。
【００４８】
海島型繊維からなる段階の不織布構造体において最終的に必要な平均数密度（厚さ方向と平行任意の断面における、断面とほぼ直交する繊維の断面の単位面積当たりの個数）は、１０００〜３５００個／ｍｍ２であり、好ましくは１１００〜３０００個／ｍｍ２、より好ましくは１２００〜２５００個／ｍｍ２の範囲における何れかの値である。このような平均数密度の範囲を有するような緻密な構造を得るために、ニードルパンチ処理などの絡合処理の後で、熱風、温水、スチームなどによる熱収縮処理を併用する。これらの処理を１種類または複数組み合わせることで、最終的には本発明が目的とする緻密な構造を得ることができる。もちろん、絡合処理や収縮処理に加えて、プレス処理を行うことも好ましい。プレス処理を絡合処理と併用する場合には、絡合処理の前や後に行ったり、プレス処理しつつ絡合処理を行ったりすればよい。また、収縮処理と併用する場合には、収縮処理の前や後に行えばよいが、プレス処理しつつ収縮処理する方法は収縮状態が不均一になってしまうので好ましくない。
【００４９】
ニードルパンチ処理後に行う熱収縮処理としては、本発明では少なくとも湿熱処理を行う必要がある。湿熱処理とは、ニードルパンチ絡合処理後の不織布構造体を、あるいは高温高湿雰囲気中で所望の緻密さになるように熱収縮させる処理のことである。例えば、平均数密度が８００〜１１００個／ｍｍ２程度の不織布構造体の緻密さを得る場合、まずニードルパンチ処理により３５０〜７５０個／ｍｍ２程度まで緻密化させた後で、目標とする緻密さになるよう熱収縮処理するのである。熱収縮処理のためには、長繊維ウェブが熱収縮性の成分を含む海島型繊維で形成されている必要があり、また、海島型繊維以外にも収縮性の繊維を併用して製造した長繊維ウェブを用いたり、別途製造した収縮性のウェブを積重したりするのも好ましい。熱収縮性の海島型繊維を得るためには、海成分ポリマー、島成分ポリマーの何れか、または両方に、熱収縮性のポリマーを採用して紡糸すればよいが、本発明においては、少なくとも島成分ポリマーとして前記したような熱収縮性のポリマーを用いる。湿熱収縮処理の条件としては、少なくとも島成分ポリマーでは十分な収縮が得られ、かつ海成分ポリマーが膨潤・可塑化はするが溶出はしてしまわないような温度条件であれば特に限定されず、採用する熱収縮処理方法や処理対象物の処理量などに応じて適宜設定すればよいが、例えば飽和水蒸気を連続的に供給することで温度６５〜１００℃、相対湿度７０〜１００％の範囲における何れかの温湿度に制御した雰囲気中へ導入する方法や、あるいは不織布構造体に海成分ポリマーが膨潤・可塑化するのに十分な量の水を付与した後で、あるいは付与しながら、次の何れかの方法で島成分ポリマーの収縮と海成分ポリマーの膨潤・可塑化に要する熱を不織布構造体へ連続的に作用させる方法が好ましい例として挙げられる。水分が付与された不織布構造体へ熱を作用させる方法としては、所望の温度に制御した雰囲気中へ導入する方法、所望の温度のエアーを不織布構造体に直接作用させる方法、または赤外線などの電磁波を不織布構造体に作用させて不織布構造体を所望の温度に昇温する方法が、好ましい例として挙げられる。不織布構造体は面積が広くなると、それ自身の重さの影響などによって熱収縮状態に斑が生じやすくなるので、収縮の開始点や収縮速度を制御する目的で、シート状の不織布構造体の長さ方向、幅方向の位置によって異なる温度条件に制御することも好ましい態様である。
【００５０】
前記のニードルパンチによる絡合処理や熱収縮処理の他に、海島型繊維からなる不織布構造体を目的とする緻密さにするために、後述する高分子弾性体の含浸処理に先立って、必要に応じて、プレス処理を採用するのも好ましい。例えば、不織布構造体の平均数密度が１０００〜１２００個／ｍｍ２程度の緻密さを目標とする場合には、まず熱収縮処理までで６００〜９００個／ｍｍ２程度まで緻密化させた後で目標とする緻密さになるようプレス処理すればよい。プレス処理を採用する場合の具体例としては、前記の湿熱収縮処理後の濡れた状態でそのままプレスする方法、湿熱収縮処理して乾燥させた状態でプレスする方法、完全には乾燥させずに一部水分が残っている状態でプレスする方法などが挙げられる。プレス修理する温度としては、湿熱収縮処理や乾燥処理の熱が冷める前に、不織布構造体の表面温度より低温で軟化成分を固化させつつプレス処理する方法、不織布構造体の表面温度より高温で一成分をより軟化させ、また含有水分を蒸発させつつプレス処理する方法などが挙げられる。このような処理方法を採用することで、熱収縮処理に加えてプレス処理による緻密化がほぼ同時に進むので、単にプレス処理のみを実施するよりは均一な緻密化状態を得ることが可能であり、また優れた生産効率を得ることも可能である。不織布構造体を構成する海島型繊維において、海成分ポリマーの軟化温度が島成分ポリマーの軟化温度より２０℃以上、好ましくは３０℃以上低い場合に、熱収縮処理と併用したプレス処理が緻密化により有効である。この場合、海成分ポリマーの軟化温度に近い温度から島成分ポリマーの軟化温度より低く、かつ島成分ポリマーの収縮温度よりは高い温度範囲に加熱することによって、海島型繊維中の海成分ポリマーのみが軟化またはそれに近い状態になって島成分の自由度が高まった状態で、収縮性の島成分ポリマーが収縮する。その収縮が十分に進行した後、海成分ポリマーの軟化温度からは温度が低下していない状態で不織布構造体をプレスすると、不織布構造体がより緻密な状態に圧縮され、これを室温にまで冷却すれば所望の緻密な状態で固定された不織布構造体を得ることができる。プレス処理の緻密化以外の利点としては、不織布構造体の表面をより平滑化した状態で固定できる効果が挙げられる。平滑化することにより、本発明の人工皮革用基材における最大の特徴である極細繊維束の極めて緻密な集合状態を、より効果的に得ることも可能である。即ち、人工皮革用基材の表面をより平滑にすることができるので、立毛調人工皮革の製造において、バフィング等の立毛形成処理での研削量をより少なくすることが可能となり、また、銀面調人工皮革の製造においては、基材表面を加熱プレスやバフィング等を行うことなく、平滑で厚さが５０μｍ以下の極めて薄い銀面層を安定的に形成することが可能となる。
【００５１】
このようにして得られた数密度が１０００〜３５００個／ｍｍ２、好ましくは１３００〜３０００個／ｍｍ２の範囲である緻密な不織布構造体に、必要に応じて、海成分ポリマーを除去する前または除去した後で、高分子弾性体を含有させる。含有させる方法としては、高分子弾性体の溶液または分散液を含浸し、従来公知の乾式法または湿式法により凝固させる方法が挙げられる。含浸方法としては、不織布構造体を高分子弾性体液で満たされた浴中へ浸した後、プレスロール等で所定の含液状態になるように絞るという処理を１回または複数回行う、いわゆるディップニップ法や、バーコーティング法、ナイフコーティング法、ロールコーティング法、コンマコーティング法、スプレーコーティング法など従来公知の種々のコーティング法などが何れも採用可能である。１種類の方法であっても複数種類の方法を組み合わせてもよい。
【００５２】
不織布構造体に含有させる高分子弾性体は、人工皮革用基材に従来用いられているものであれば何れも採用可能であり、具体例としてはポリウレタンエラストマー、アクリロニトリルエラストマー、オレフィンエラストマー、ポリエステルエラストマー、アクリルエラストマーが挙げられ、好ましくはポリウレタンエラストマー、アクリルエラストマーである。ポリウレタンエラストマーとしては、ポリエステルジオール、ポリエーテルジオール、ポリエーテルエステルジオール、ポリカーボネートジオールなどから選ばれた少なくとも１種類の平均分子量５００〜３０００のポリマーポリオールと、４，４’−ジフェニルメタンジイソシアネート、イソホロンジイソシアネート、ヘキサメチレンジイソシアネートなどの、芳香族系、脂環族系、脂肪族系のジイソシアネートなどから選ばれた少なくとも１種のポリイソシアネートとを主成分として組み合わせ、さらにエチレングリコール、エチレンジアミン等の２個以上の活性水素原子を有する少なくとも１種の低分子化合物を所定のモル比で組み合わせて、これらを１段階、あるいは多段階で溶融重合法、塊状重合法、溶液重合法などにより重合反応させて得た各種のポリウレタンエラストマーが挙げられ、ポリウレタンエラストマーに占めるポリマーポリオール成分の含有量は１５〜９０質量％が好ましい。また、アクリルエラストマーとしては、その単独重合体のガラス転移温度が−９０〜−５℃の範囲であり、好ましくは非架橋性であるようなモノマー、例えば、アクリル酸メチル、アクリル酸ｎ−ブチル、アクリル酸イソブチル、アクリル酸イソプロピル、（メタ）アクリル酸ｎ−ヘキシル、（メタ）アクリル酸２−エチルヘキシルなどから選ばれた少なくとも１種類の軟質成分と、その単独重合体のガラス転移温度が５０〜２５０℃の範囲であり、好ましくは非架橋性であるようなモノマー、例えば、メタクリル酸メチル、メタクリル酸エチル、メタクリル酸イソプロピル、メタクリル酸イソブチル、メタクリル酸シクロヘキシル、（メタ）アクリル酸などから選ばれた少なくとも１種類の硬質成分と、架橋構造を形成し得る単官能または多官能エチレン性不飽和モノマー単位、または、ポリマー鎖に導入されたエチレン製不飽和モノマー単位と反応して架橋構造を形成し得るような化合物、例えば、エチレングリコールジ（メタ）アクリレート、トリエチレングリコールジ（メタ）アクリレート、ポリエチレングリコールジ（メタ）アクリレート、１，４−ブタンジオールジ（メタ）アクリレートなどから選ばれた少なくとも１種類の架橋形成性成分からなるエチレン性不飽和モノマーを重合反応させて得た各種のアクリルエラストマーが挙げられる。主体となる高分子弾性体としてポリウレタンエラストマーを採用して得られた人工皮革用基材は、風合いや力学的物性のバランスにおいて優れており、さらには耐久性を含めたバランスにおいても優れている点で好ましい。また、アクリルエラストマーを採用して得られた人工皮革用基材は、アクリルエラストマーがポリウレタンエラストマーに比べて極細長繊維束への接着性が低く、立毛形成時の立毛固定効果に乏しいので立毛調人工皮革を形成するには不向きだが、含有量に対する風合いの硬化度合いが抑制されるので銀付調人工皮革を形成する場合には特に好ましい。高分子弾性体としては、異なる種類を混合して含有させたり、異なる種類を複数回に分けて含有させたりしてもよく、また、主体となる高分子弾性体以外にも、合成ゴム、ポリエステルエラストマーなどの高分子弾性体を必要に応じて添加した高分子弾性体組成物として含有させてもよい。
【００５３】
高分子弾性体の溶液あるいは分散液などの高分子弾性体液を不織布構造体に含浸し、次いで高分子弾性体を従来公知の乾式法または湿式法により凝固させることで、高分子弾性体を不織布構造体内に固定する。ここでいう乾式法とは、溶剤あるいは分散剤を乾燥等により除去することで高分子弾性体を不織布構造体内に固定させる方法全般を指す。また、ここでいう湿式法とは、高分子弾性体液を含浸した不織布構造体を高分子弾性体の非溶剤や凝固剤で処理したり、感熱ゲル化剤などを添加した高分子弾性体液を採用して含浸後の不織布構造体を加熱処理したりすることにより、溶剤あるいは分散剤を除去するに先立って不織布構造体内に高分子弾性体を仮に固定するか完全に固定させる方法全般を指す。なお、凝固させた高分子弾性体を完全に固定させるために、溶剤あるいは分散剤を除去した後で加熱処理などのキュア処理を行うことも好ましい。
【００５４】
高分子弾性体液の濃度、即ち高分子弾性体液中の高分子弾性体の含有量は、０．１〜６０質量％が好ましい。高分子弾性体液には、最終的に得られる人工皮革用基材の性質を損なわない範囲で、染料や顔料などの着色剤、凝固調節剤、酸化防止剤、紫外線吸収剤、蛍光剤、防黴剤、浸透剤、消泡剤、滑剤、撥水剤、撥油剤、増粘剤、増量剤、硬化促進剤、発泡剤、ポリビニルアルコールやカルボキシルメチルセルロースなどの水溶性高分子化合物等の従来の人工皮革用基材に含有させる高分子弾性体液に配合される各種添加剤を適宜配合してもよい。不織布構造体に含有させる高分子弾性体あるいは高分子弾性体組成物の量は、目的とする用途において必要とされる力学的物性、耐久性、風合いなどに応じて適宜調節すればよいが、極細繊維束からなる不織布構造体の目付けを１００としたとき、これに対する高分子弾性体の目付けとして１〜８０質量％の範囲が好ましく、２〜６０質量％の範囲がより好ましく、５〜４０質量％の範囲がさらに好ましい。高分子弾性体の含有量が１質量％に満たない場合は、高分子弾性体を均一に含有させるのが困難なので、人工皮革用基材内部における高分子弾性体の含有斑が激しくなり、人工皮革用基材としての品質が安定し難い。一方、高分子弾性体の含有量が８０質量％を超える場合は、不織布構造体が極めて緻密であるために、人工皮革用基材の風合いが顕著に硬化する上、ゴム感も強くなるので好ましくない。
【００５５】
高分子弾性体を含有させる前または含有させた後の不織布構造体を構成する海島型繊維から海成分ポリマーを除去する方法としては、島成分ポリマーの非溶剤または非分解剤であり、高分子弾性体を含有させた後に除去する場合には、高分子弾性体の非溶剤または非分解剤でもある液体であって、かつ海成分ポリマーの溶剤または分解剤である液体で不織布構造体を処理する方法が本発明において採用される。例えば、海成分ポリマーとして、前記したようなポリビニルアルコールなどの水に可溶なポリマーを用いる場合は、そのポリマーが可溶な温度の温水で除去すればよく、また、海成分ポリマーとして、前記したようなスルホン酸アルカリ金属塩を含有する化合物などを共重合した易アルカリ分解性の変性ポリエステルを用いる場合は、水酸化ナトリウム水溶液などのアルカリ性分解剤である水溶液を適当な温度下で用いて除去すればよい。このような海成分ポリマー除去処理により、海島型繊維を島成分ポリマーからなる極細長繊維束に変成させることで、好ましくは３００〜１８００ｇ／ｍ２の目付を有する本発明の人工皮革用基材が得られる。
【００５６】
海島型繊維を極細長繊維束に変成することで得られる人工皮革用基材において、従来の人工皮革用基材と決定的に異なる点としては、前記した種々の点以外にも極細長繊維束同士の間に形成される空隙サイズが７０μｍ以下、好ましくは６０μｍ以下であって極めて小さく、かつ均一であってサイズの斑が小さい点が挙げられる。これは、海島型繊維を紡糸して集積させて３次元絡合した不織布構造体を形成させる過程において、（１）断面積が３５０μｍ２以下程度、即ち繊維径でいうと２１μｍ以下程度で、かつ扁平化しにくい島数の海島型繊維を紡糸し、長繊維形態のままで直接ウェブとすることで、人工皮革用基材を形成するまでの間に不要な嵩高性を奏しにくい状態で不織布構造体を形成させていること、（２）長繊維ウェブを３次元絡合させる際に主体となるニードルパンチング処理において６バーブのニードルを用いて厚さ方向にバーブが貫通するような条件で行うことで、広範囲に渡って同一繊維が連続した状態でランダムに配置されるという長繊維からなる不織布構造体に特有の繊維配置状態において極めて良いバランスで緻密化と３次元絡合化が進行するのではないかと考えられ、それによって不織布構造体の断面において繊維が十分に高い数密度で近接して集積されること、さらには（３）海島型繊維の構成成分として、水溶性ポリマーと熱収縮性ポリマーを組み合わせ、かつ熱収縮処理を湿熱環境下で行うことで、不織布構造体が熱収縮によって緻密化する際に、海成分が瞬時に膨潤、可塑化することで島成分が理想に近いレベルまで収縮可能であり、しかも島成分の繊維径が収縮によって理想に近いレベルまで太径化可能であるため、海島型繊維が繊維軸に沿って収縮し易く、従来のように海島型繊維が収縮時にランダムに暴れるように動くことで近接する繊維を排除するような効果を奏しにくいこと、また、（４）海成分を溶解、分解させる際に従来の有機溶剤よりは分子サイズが小さくて極性を有する水を媒体とするので、海成分ポリマー内での溶媒分子の拡散速度が比較的速く、また膨潤から溶解に至る状態が安定していて、海成分ポリマーの溶解物を構造体外に順次排出させるために液圧や機械応力などを掛ける必要が少ないので、従来に比べて極めて緻密化した本発明の不織布構造体であっても極細繊維束間の空隙サイズを拡大させることなく容易に海成分溶解物が排出できること、といった要因が全て複合化された結果であると考えられる。
【００５７】
得られた人工皮革用基材において、極細繊維束間の空隙サイズをより均一化させ、より緻密な外観品位の立毛調人工皮革や、より折れシボの細かな銀付調人工皮革を製造するのに適した人工皮革用基材を製造するために、まず人工皮革製品において表側となる表面に、易抽出性高分子の溶液、水分散液または融液を塗布して、易抽出性高分子を固化させることも好ましい。本発明では、後工程であるバフィング処理において、従来にない緻密化された不織布構造を得ると共に、より平滑で均一な立毛表面を得る目的で、人工皮革製品において表側となる表面に高分子弾性体の水分散液を塗布して、高分子弾性体を固化させた後、先に易抽出性高分子を付与していれば、それを溶解等により除去する工程を実施する。次いで、高分子弾性体を付与した面について、加圧しつつ研削処理を行うことで、元の表面から２０〜２００μｍ程度の深さまでの領域を研削除去するだけでなく、研削処理後の表面から大凡１００〜３００μｍ程度の深さまでの領域について不織布構造を一層緻密化することができる。また、前記した表面への高分子弾性体の付与に先立って、人工皮革用基材の表面や裏面をバフィング処理やカレンダー処理等により平滑化してもよい。得られた人工皮革用基材は、研削処理によって表面が平滑になっているだけでなく、表面から２００μｍまでの範囲において評価される極細繊維束間の平均空隙サイズが、１０〜４０μｍの範囲になるような極めて均一で緻密な状態になっている。
易抽出性高分子の例としては、ポリビニルアルコール、ポリウレタンエラストマー、アクリルエラストマー、ポリエチレングリコール、パラフィンワックス、ポリエチレンワックスなどが挙げられる。高分子弾性体の例としては、ポリウレタンエラストマーやアクリルエラストマーなど、前記した不織布構造体へ含有させる高分子弾性体と同様の例が挙げられる。易抽出性高分子、高分子弾性体の塗布方法の例としては、グラビアロールコーティング法、ロータリースクリーンコーティング法、スプレーコーティング法、リバースロールコーティング法などの公知のコーティング法が採用可能であり、中でもグラビアロールコーティング法が塗布する液粘度と塗布量とのバランス上好ましい。  研削処理の例としては、サンドペーパーによるバフィングが挙げられ、サンドペーパーへの加圧レベルは人工皮革用基材の表面状態を観察しながら、また処理後の人工皮革用基材の断面状態を評価しながら適宜調節して最適値を設定すればよい。
【００５８】
このようにして得られた人工皮革用基材を、従来の人工皮革製造と同様に、必要により、厚さ方向に複数枚にスライスし、裏面となる面を研削するなどして厚さを調節したり、裏面となる面や表面となる面に高分子弾性体や極細繊維束の溶剤を含む液体で処理する。その後、少なくとも表面となる面をバフィング処理などの方法により起毛処理して極細繊維を主体とした繊維立毛面を形成させることで、スエード調やヌバック調などの立毛調人工皮革が得られる。また、表面となる面に高分子弾性体からなる被覆層を形成させることで銀面調人工皮革が得られる。
【００５９】
繊維立毛面の形成には、サンドペーパーや針布などによるバフィング処理や、ブラッシング処理などの公知の方法を何れも用いることができる。また、このような起毛処理の前あるいは後に、高分子弾性体または極細繊維束を溶解または膨潤させることのできる溶剤、例えば、高分子弾性体がポリウレタンエラストマーであればジメチルホルムアミド（ＤＭＦ）などを含む処理液、また極細繊維束がポリアミド系樹脂であればレゾルシンなどのフェノール系化合物を含む処理液を起毛処理する表面に塗布してもよい。これにより、高分子弾性体や極細繊維束の接着による極細繊維束の拘束状態、立毛調人工皮革の極細繊維立毛長、表面摩擦耐久性などを微調節することができる。
【００６０】
高分子弾性体からなる被覆層の形成には、高分子弾性体を含む液体を人工皮革用基材の表面に直接付与する方法や、一旦離型紙などの支持基材上に該液体を塗布してから人工皮革用基材に貼り合わせる方法などの公知の方法を何れも用いることができる。形成する被覆層に用いられる高分子弾性体としては、前記した不織布構造体に含有させるための高分子弾性体と同様のものなど、従来の銀面調人工皮革の被覆層として公知の高分子弾性体であれば何れも採用可能である。形成する被覆層の厚さは、３００μｍ以下程度であれば本発明の人工皮革用基材と十分に風合いがバランスした銀面調人工皮革を製造可能なので、特に限定されるものではない。本発明の人工皮革用基材の最大の特徴である極細繊維束による緻密な集合状態により得られる極めて平滑で均一な表面層を有する銀面調人工皮革を製造する場合には、厚さが１００μｍ以下程度、好ましくは８０μｍ以下程度、より好ましくは３〜５０μｍ程度の範囲で被覆層を形成するとよく、このような厚さの被覆層を形成することで、極めて細かな天然皮革調の折れシボを有する銀面調人工皮革を得ることも可能となる。
【００６１】
このような立毛調人工皮革や銀面調人工皮革は、海島型繊維を極細長繊維束に変成した後の何れの段階で染色することも好ましい実施態様である。本発明においては、繊維の種類に応じて適宜選択される分散染料、反応染料、酸性染料、金属錯塩染料、硫化染料、硫化建染染料などを主体とした染料を用いた、パッダー、ジッガー、サーキュラー、ウィンスなどの従来の人工皮革の染色に通常用いられる公知の染色機を使用した染色方法が何れも採用可能である。また、染色以外にも、必要に応じて、ドライ状態での機械的もみ処理、染色機や洗濯機などを使用したウェット状態でのリラックス処理、柔軟剤処理、防燃剤や抗菌剤、消臭剤、撥水撥油剤などの機能性付与処理、シリコーン系樹脂やシルクプロテイン含有処理剤、グリップ性付与樹脂などの触感改質剤付与処理、着色剤やエナメル調用コーティング樹脂などの前記した以外の樹脂を塗布する意匠性付与処理などの仕上げ処理を行うことも好ましい。本発明の人工皮革用基材は、極細繊維束が非常に緻密に集合した構造をとっているので、ウェット状態でのリラックス処理や柔軟剤処理は、風合いを著しく改善するので、取り分け銀面調人工皮革において好ましく採用される処理である。例えばリラックス処理であれば６０〜１４０℃程度の温度範囲で界面活性剤を含むような水中で処理することで、天然皮革に勝るとも劣らない柔軟で膨らみ感がありながら、緻密構造自体がもつ充実感が損なわれていない人工皮革を得ることも可能である。
【実施例】
【００６２】
次に、本発明の実施態様を具体的な実施例で説明するが、本発明はこれら実施例に限定されるものではない。なお、実施例中の部および％は、ことわりのない限り質量に関するものである。
【００６３】
（１）海島型繊維、あるいは極細長繊維束の断面積、集束本数、扁平率
サンプルの厚さ方向と並行任意の断面について、走査型電子顕微鏡（１００〜３００倍程度）を用いて観察し、観察視野から断面に対してほぼ垂直に配向した海島型繊維、あるいは極細長繊維束を２０個、万遍なく、かつ、無作為に選び出した。次いで選び出した個々の海島型繊維、あるいは極細繊維束の集束本数、扁平率、及び投影サイズは、必要に応じて１０００〜３０００倍程度の倍率に拡大して再観察して求めた。扁平率とは、繊維または繊維束の断面形状において、最も長い部分の長さと、これに垂直な方向の長さを測定し、前者を後者で割った値であり、通常は、最も長い部分の長さとは厚さ方向に垂直な方向の長さであることが多い。
次に、選び出した２０個の海島型繊維、あるいは極細繊維束について、個々に断面積を測定し、最大の断面積および最小の断面積を削除し、残った１８個の断面積を算術平均することで、サンプルを構成する海島型繊維、あるいは極細繊維束の断面積を求めた。
なお、極細繊維束の断面積は、繊維束外周を構成する繊維、及びそれら繊維間を結ぶ接線で囲まれた面積をいう。また、集束本数に関しては、個々の繊維束の収束本数が一定でなく分布を持っている場合には、断面積を平均したのと同様に最大本数、最小本数を除いた１８個の極細繊維束の集束本数を算術平均することで、サンプルを構成する海島型繊維、あるいは極細繊維束の集束本数を求めた。
【００６４】
（２）人工皮革用基材断面における海島型繊維、あるいは極細長繊維の数密度、及び海島型繊維、あるいは極細繊維束間の空隙サイズ、平均空隙サイズ
サンプルの厚さ方向と平行任意の断面について、走査型電子顕微鏡（１００〜３００倍程度）を用いて、観察面積が合計０．３〜０．５ｍｍ２程度になるように、連続した断面領域を観察した。その観察視野において、海島型繊維、あるいは極細繊維束の長さ方向に対してほぼ垂直であると判断される断面の個数を数え、その合計個数を観察面積で割ることにより１ｍｍ２当たりに存在する海島型繊維、あるいは極細繊維束断面の個数を求めた。このような観察を１種類のサンプルに対して少なくとも５箇所以上行い、最も少ない値をそのサンプルの数密度とした。
次に、同じ観察視野において、海島型繊維、あるいは極細繊維束の断面以外の領域を全て空隙とみなし、海島型繊維、あるいは極細繊維束の断面に接する最大の円を描いて、その円の直径を測定した。但し、空隙が連続して広範囲に存在する場合には、円同士が重ならないようにして複数の円を描いて、描かれた複数の円の中で最大径の円を測定した。また、観察視野全体において繊維束同士が殆ど全て密着するように存在するような場合を除き、繊維束同士が密着するように存在する部分の空隙は、その観察視野における評価対象からは除外した。なお、密着するように存在するとは、繊維束を構成する極細繊維の繊維径と同等以下程度にまで近接して存在する場合をいう。このようにして測定された円の直径において、観察視野における最大値をサンプルの極細繊維束間の空隙サイズとした。また、観察視野において万遍なく、かつ無作為に選び出した空隙２０箇所で測定された円直径について、最大値、最小値を除外した１８箇所で算術平均した値を極細繊維束間の平均空隙サイズとした。
【００６５】
（３）立毛調人工皮革の外観の評価
人工皮革分野の当業者から選出された５人のパネリストが、立毛調人工皮革の外観を目視により以下の基準で評価し、最も多くのパネリストが付けた評価を外観の評価結果とした。
Ａ：立毛表面の緻密性が全体的に極めて高く、手で触ったときにざらつきが全く無くて滑らかである。
Ｂ：立毛表面の緻密性が全体的に僅かに粗いか、又は、全体的に比較的高いものの部分的に緻密性が明らかに低くて粗い部分が散在し、手で触ったときにややざらつきがある。
Ｃ：全体的に粗い立毛表面であり、手で触ったときにかなりのざらつきがある。
【００６６】
（４）立毛調人工皮革の風合いの評価
得られた立毛調人工皮革の厚さが０．８ｍｍ未満の場合にはゴルフ手袋に縫製し、厚さが０．８〜１．２ｍｍの場合にはジャケットに縫製し、厚さが１．２ｍｍを超える場合にはソファーに縫製した。人工皮革分野の当業者から選出された５人のパネリストが着用により、立毛調人工皮革の風合いを以下の基準で評価し、最も多くのパネリストが付けた評価を風合いの評価結果とした。
Ａ：柔軟で膨らみ感がありながら十分な充実感も感じられる風合いであり、縫製品のフィット感が良好である。
Ｂ：柔軟さ、膨らみ感、充実感の何れかに欠けていてやや物足りない風合いであり、縫製品のフィット感が不足している（風合いやフィット感において、従来の一般的な立毛調人工皮革と同程度である）。
Ｃ：柔軟さ、膨らみ感、充実感の何れかが大幅に劣っているか、又は、何れも大幅に劣った風合いであり、縫製品のフィット感が不良である（風合いやフィット感において、従来の一般的な立毛調人工皮革に劣っている）。
【００６７】
（５）立毛調人工皮革の表面摩耗耐久性の評価
ＪＩＳ  Ｌ１０９６に規定されているマーチンデール磨耗試験測定方法に準じ、荷重１２ｋＰａ、磨耗回数５００００回の条件で、得られた立毛調人工皮革の表面を磨耗処理した。処理前後の質量差（磨耗減量）が５０ｍｇ以下の場合を耐磨耗性が良好であると判定した。また、処理前後の立毛調人工皮革表面のピリング発生状態（増減）を目視により以下の基準で比較した。耐磨耗性が良好であり、かつピリング発生状態がＡまたはＢであるものを、表面磨耗耐久性に優れていると評価した。
Ａ：ピリングの増加は見られない（立毛の切断などによるピリングの減少は見られてもよい）
Ｂ：ピリングの僅かな増加が見られるものの、手で触れて硬さが感じられるピリングは殆ど増加していない
Ｃ：ピリングが明らかに増加しており、手で触れて硬さが感じられるピリングが明らかに増加している
【００６８】
実施例１
海成分ポリマーとしてエチレン変性ポリビニルアルコール（エチレン単位の含有量８．５モル％、重合度３８０、ケン化度９８．７モル％）、島成分ポリマーとしてイソフタル酸変性ポリエチレンテレフタレート（イソフタル酸単位の含有量６．０モル％）を、それぞれを個別に溶融させた。海成分ポリマー中に均一な断面積の島成分ポリマーが２５個分布した断面を形成できる、多数のノズル孔が並列状に配置された複合紡糸用口金に、該溶融ポリマーを断面における海成分ポリマーと島成分ポリマーの平均面積比が海成分／島成分＝２５／７５となるような圧力バランスで供給し、口金温度２５０℃でノズル孔より吐出させた。平均紡糸速度が３６００ｍ／分となるように気流の圧力を調節したエアジェット・ノズル型の吸引装置で牽引細化させ、平均断面積が１７７μｍ２（約２．４ｄｔｅｘ）の海島型繊維を紡糸し、これを裏面側から吸引しつつネット上に連続的に捕集した。ネットの移動速度を調節して堆積量を調節し、さらに８０℃に保温したエンボスロールにより線圧７０ｋｇ／ｃｍで押さえ、目付３０ｇ／ｍ２、厚さ方向に並行断面上に海島型繊維の断面が２２０〜２５０個／ｍｍ２存在し、巻き取りが可能な程度にまで形態が安定化された長繊維ウェブを得た。
【００６９】
エンボス後の長繊維ウェブ表面に、鉱物油系の滑り性油剤を主体とし、帯電防止剤を混合した油剤をスプレー付与した後、クロスラッパー装置を用いて長繊維ウェブを連続的に折り畳むことにより、１４層の層状長繊維ウェブにした。次いで、層状長繊維ウェブにニードルパンチングを作用させるニードルパンチ法によって三次元絡合処理を行い、海島型繊維の数密度が５００個／ｍｍ２の不織布構造体を得た。ニードルパンチングの条件は、ニードル番手４０番、バーブ深さ４０μｍ、バーブ数１個で正三角形断面のニードルＡで、両面側からバーブが厚さ方向に貫通するパンチ深さにて予備絡合、即ち折り畳んだ長繊維ウェブがずれてしまわない程度の絡合を行った後、ニードル番手４２番、バーブ深さ４０μｍ、バーブ数６個で正三角形断面のニードルＢで、両面側からバーブ３個が厚さ方向に貫通するパンチ深さにて、海島型繊維同士が所望のレベルまで厚さ方向に絡合するように絡合処理を行った。ニードルＢでのニードルパンチングは、両面側から合計で１７００パンチ／ｃｍ２のパンチ数で行った。
次いで、この不織布構造体の両面に１８℃の水を均一にスプレー塗布した後、直ちに温度７５℃、相対湿度９５％の雰囲気中を長さ方向、幅方向の何れの方向にも張力や摩擦応力が殆ど作用しないようにしつつ、４分間かけて連続的に通過させるような条件で湿熱収縮処理を行うことによって、海島型繊維間を均一に近接させた。その後、不織布構造体を乾燥させる前に１２０℃に保温した金属ロール間でプレス処理して表面を圧縮平滑化しつつ乾燥させ、次いで不織布構造体全体を１２０℃の雰囲気中へ導入して乾燥させることにより、目付け１１２５ｇ／ｍ２で厚さ方向に並行な断面において、海島型繊維の数密度が１９００個／ｍｍ２であるような極めて緻密な不織布構造体を得た。
【００７０】
得られた不織布構造体に、高分子弾性体液としてポリカーボネート／エーテル系ポリウレタンを主体とするポリウレタン組成物の水分散液（固形分濃度１１質量％）を含浸し、不織布構造体の質量１００に対して高分子弾性体液の含液量が５０になるよう金属ロールでプレスした後、さらに不織布構造体の表面温度が８０℃になるような条件で赤外線ヒーターを１分間作用させることで感熱凝固させて、最後に１２０℃の雰囲気中へ導入して水分を乾燥させ、次いで直ちに１５０℃の雰囲気中へ導入して２分間キュア処理を行うことでポリウレタン組成物を海島型繊維同士の空隙に存在させた。次いで、液流染色機中で９０℃の熱水により２０分間処理して海島型繊維中の変性ポリビニルアルコールを抽出除去した後、１２０℃の雰囲気中へ導入して水分を乾燥させることで、変性ポリエチレンテレフタレートの極細長繊維束からなる不織布構造体の内部にポリウレタン組成物が含有された厚さ約１．４ｍｍの本発明の人工皮革用基材を得た。
得られた人工皮革用基材の断面において極細長繊維束を観察すると、その断面積は２００〜４００μｍ２の範囲で分布していて平均は２５０μｍ２であり、ほぼ均一な繊維径を有していて略円形の断面形状の極細長繊維が２５本集束していた。繊維束は厚さ方向への扁平化があまり見られず、繊維束の扁平率は最大でも２．５で、殆どが２．０未満であり、投影サイズは４０μｍであった。また、厚さ方向と平行断面における極細長繊維束の数密度は２５００個／ｍｍ２であり、極細繊維束間の空隙サイズは５２μｍ、平均空隙サイズは３５μｍであった。
【００７１】
実施例２
実施例１により得た人工皮革用基材をスライスにより厚さ方向に二分割し、分割面をサンドペーパーでバフィング処理して平均厚さ０．６７ｍｍに厚みを合わせた。バフィング処理を行わなかった方の面に、ポリビニルアルコールの６％水溶液を５５メッシュのグラビアロールにて２回塗布して乾燥し、次いで、実施例１で含浸に用いたものと同じポリカーボネート／エーテル系ポリウレタンを主体とするポリウレタン組成物の水分散液（固形分濃度６質量％）を７５メッシュのグラビアロールにて３回塗布して乾燥した。このポリウレタン組成物付与面を、バフ機にセットしたエンドレスのサンドペーパーで加圧しつつバフィング処理して起毛および整毛することで、変性ポリエチレンテレフタレートの極細繊維からなる立毛を形成した。さらに液流染色機を用いて分散染料で染色加工を行った後、ブラッシングして整毛仕上げをしてベージュ色の立毛調人工皮革を得た。得られた立毛調人工皮革は、厚さ方向と平行断面において立毛面側から厚さ方向に２００μｍまでの領域における極細繊維束の数密度は２７００個／ｍｍ２であって緻密性が極めて高く、天然皮革ヌバックに似た優美な立毛外観を有しているばかりでなく、風合い、表面磨耗耐久性の何れもが極めて良好であり、本発明が目的とする効果を有する立毛調人工皮革であった。評価結果を表１に示す。
【００７２】
比較例１
実施例１において、長繊維ウェブを構成する海島型繊維の島成分ポリマーをナイロン６に変更し、平均断面積が３０７μｍ２（約３．６ｄｔｅｘ）となるような条件で海島型繊維を紡糸する以外は実施例１と同様にして、エンボス安定化した目付３０ｇ／ｍ２の長繊維ウェブを得た。得られた長繊維ウェブ表面に、実施例１と同様にして油剤を付与した後、クロスラッパー装置で層状長繊維ウェブを得た。次いで、層状長繊維ウェブに、実施例１と同様にニードルＡでの予備絡合を行った後、ニードル番手４２番、バーブ深さ４０μｍ、バーブ数１個で正三角形断面のニードルＣで、バーブが厚さ方向に貫通するパンチ深さにて、海島型繊維同士が厚さ方向に絡合するように、両面側から合計で３５００パンチ／ｃｍ２のパンチ数でニードルパンチングによる絡合処理を行った。得られた不織布構造体に、実施例１と同様の湿熱処理、プレス処理を行うことで、目付７００ｇ／ｍ２の不織布構造体を得た。
【００７３】
得られた不織布構造体に、実施例１と同様にして、ポリウレタン組成物を海島型繊維同士の空隙に存在させた後で海島型繊維中の変性ポリビニルアルコールを抽出除去して、ナイロン６の極細長繊維束からなる不織布構造体の内部にポリウレタン組成物が含有された厚さ約１．４ｍｍの人工皮革用基材を得た。次いで、得られた人工皮革用基材について、実施例２と同様の方法で二分割処理、バフィング処理を行って、ナイロン６の極細繊維からなる立毛を形成した後、液流染色機を用いて金属錯塩酸性染料で実施例２と同様の色調に染色加工を行い、さらに整毛仕上げを行うことでベージュ色の立毛調人工皮革を作成した。得られた立毛調人工皮革は緻密性が不充分なので、従来のスエード調人工皮革でも達成できたレベルの粗い立毛外観を有するに過ぎず、表面磨耗耐久性は特に優れているわけではない上、硬くて骨ばった感じの風合いを有するものであって、本発明の目的とするレベルを満たしていないものであった。評価結果を表１に示す。
【００７４】
比較例２
実施例１において、長繊維ウェブを構成する海島型繊維として、島成分ポリマーが１００個分布した断面を形成できる複合紡糸用口金を用いて海島型繊維を紡糸する以外は実施例１と同様にして、エンボス安定化した目付３０ｇ／ｍ２の長繊維ウェブを得た。得られた長繊維ウェブ表面に、実施例１と同様にして油剤を付与した後、クロスラッパー装置で層状長繊維ウェブとし、さらに実施例１と同様のニードルパンチングによる絡合処理を行った。得られた不織布構造体に、水を塗布することなく熱プレス処理を行うことで、目付９７０ｇ／ｍ２の不織布構造体を得た。
【００７５】
得られた不織布構造体に、実施例１と同様にして、ポリウレタン組成物を海島型繊維同士の空隙に存在させた後で海島型繊維中の変性ポリビニルアルコールを抽出除去して、変性ポリエチレンテレフタレートの極細長繊維束からなる不織布構造体の内部にポリウレタン組成物が含有された厚さ約１．４ｍｍの人工皮革用基材を得た。次いで、得られた人工皮革用基材について、実施例２と同様の方法で二分割処理、バフィング処理を行って、変性ポリエチレンテレフタレートの極細繊維からなる立毛を形成した後、分散染料での染色加工及び整毛仕上げを行うことでベージュ色の立毛調人工皮革を作成した。得られた立毛調人工皮革は一見すると緻密だが、実際には表層部分の繊維束が厚さ方向に潰れて扁平化することで見かけ密度が高くなっているに過ぎない。繊維束の扁平率は、３．０を超えるものが多数存在しており、最も扁平化している繊維束は４．７であった。この扁平化した繊維束により緻密化した表層部分は、バフィング処理によって起毛されてしまうと緻密化されていない疎な部分と同様の緻密さに戻ってしまい、結局は従来のスエード調人工皮革でも達成できたレベルの粗い立毛外観しか得られないばかりか、かつ厚さ方向の中央付近が疎であるのに対して表層部分だけが極端に硬く詰まった構造なので、風合いはダンボール様の表面に硬さが感じられるものであり、本発明の目的とするレベルを満たしていないものであった。評価結果を表１に示す。また、実施例２との対比においては、立毛を形成する極細繊維がより細いので、同じ色に染色したものの白っぽくて色に深みがなく、高級感に欠ける外観であった。
【００７６】
比較例３
実施例１において、長繊維ウェブを構成する海島型繊維として、島成分ポリマーが６４個分布した断面を形成できる複合紡糸用口金を用いて、平均断面積が４８５μｍ２（約６．６ｄｔｅｘ）となるような条件で海島型繊維を紡糸する以外は実施例１と同様にして、エンボス安定化した目付３０ｇ／ｍ２の長繊維ウェブを得た。得られた長繊維ウェブ表面に、実施例１と同様にして油剤を付与した後、クロスラッパー装置で層状長繊維ウェブを得た。次いで、層状長繊維ウェブに、実施例１と同様にニードルＡでの予備絡合、及びニードルＢでの絡合処理を行った。得られた不織布構造体に、実施例１と同様の湿熱処理、プレス処理を行うことで、目付９９０ｇ／ｍ２の不織布構造体を得た。
【００７７】
得られた不織布構造体に、実施例１と同様にして、ポリウレタン組成物を海島型繊維同士の空隙に存在させた後で海島型繊維中の変性ポリビニルアルコールを抽出除去して、変性ポリエチレンテレフタレートの極細長繊維束からなる不織布構造体の内部にポリウレタン組成物が含有された厚さ約１．４ｍｍの人工皮革用基材を得た。次いで、得られた人工皮革用基材について、実施例２と同様の方法で二分割処理、バフィング処理を行って、変性ポリエチレンテレフタレートの極細繊維からなる立毛を形成した後、分散染料での染色加工及び整毛仕上げを行うことでベージュ色の立毛調人工皮革を作成した。得られた立毛調人工皮革は、単位断面積当たりの繊維束の数は十分に存在して緻密性はあるように見えるが、繊維束は扁平率が４．０を超えるほど扁平化してしまっていて、繊維束同士の間に存在する空隙サイズに顕著な斑があり、しかも所々に極めてサイズが大きな空隙が存在するため、結局は従来のスエード調人工皮革でも達成できたレベルの粗い立毛外観を有するに過ぎず、表面磨耗の減量は少ないがピリングが明確に増加する上、少し芯があって膨らみ感が足りない感じの風合いを有するものであって、本発明の目的とするレベルを満たしていないものであった。評価結果を表１に示す。
【００７８】
比較例４
実施例１において、長繊維ウェブを構成する海島型繊維として、断面における海成分ポリマーと島成分ポリマーの平均面積比が海成分／島成分＝２０／８０であり、平均断面積が１４７μｍ２（約２．０ｄｔｅｘ）となるような条件で海島型繊維を紡糸する以外は実施例１と同様にして、エンボス安定化した目付３０ｇ／ｍ２の長繊維ウェブを得た。得られた長繊維ウェブ表面に、実施例１と同様にして油剤を付与した後、クロスラッパー装置で層状長繊維ウェブとし、さらに実施例１と同様のニードルパンチングによる絡合処理を行った。得られた不織布構造体を、７０℃の温水浴中に浸漬することで熱収縮処理を行い、さらに乾燥させることなく９０℃の熱水浴中へ浸漬することで海島型繊維中の変性ポリビニルアルコールを抽出除去した。このようにして、変性ポリエチレンテレフタレートの極細長繊維束からなり、ポリウレタン組成物を含有しない、目付８４５ｇ／ｍ２の人工皮革用基材を得た。
【００７９】
次いで、得られた人工皮革用基材について、実施例２と同様の方法で二分割処理、バフィング処理を行って、変性ポリエチレンテレフタレートの極細繊維からなる立毛を形成した後、分散染料での染色加工及び整毛仕上げを行うことでベージュ色の立毛調人工皮革を作成した。得られた立毛調人工皮革は、他の例と異なりポリウレタン組成物を含有しないにも関わらず、しっかりして充実感のある好ましい風合いを有していた。しかしながら、断面を観察すると繊維束が非常に緻密に集まった部分と少し疎な部分とが混在した状態であり、その繊維束数に斑がある基材をバフィング処理することで形成された立毛表面は、斑に起因すると思われる立毛数が多い部分と少ない部分とが混在していた。厚さ方向と平行断面における極細長繊維束の数密度を評価したところ、表面付近の多いところでも１４００個／ｍｍ２であり、極細繊維束間の空隙サイズは７４μｍ、表面から２００μｍまでの範囲の平均空隙サイズは４２μｍであった。結果として全体としては粗い立毛外観であり、本発明の目的とするレベルを満たしていないものであった。評価結果を表１に示す。
【００８０】
比較例５
実施例１において、長繊維ウェブを構成する複合繊維として、除去成分ポリマー（海成分ポリマー）５層と繊維成分ポリマー（島成分ポリマーに相当）６層とが、交互に重なった重畳形状の断面を形状できる複合紡糸用口金を用い、除去成分ポリマーとして実施例１と同様のエチレン変性ポリビニルアルコールを、また、繊維成分ポリマーとして実施例１と同様のイソフタル酸変性ポリエチレンテレフタレートをそれぞれ個別に溶融させた。該溶融ポリマーを断面における除去成分ポリマーと繊維成分ポリマーの平均面積比が除去成分／繊維成分＝３５／６５となるような圧力バランスで供給し、平均断面積が３３０μｍ２（約４．４ｄｔｅｘ）となるような条件で複合繊維を紡糸する以外は実施例１と同様にして、エンボス安定化した目付３０ｇ／ｍ２の長繊維ウェブを得た。得られた長繊維ウェブ表面に、実施例１と同様にして油剤を付与した後、クロスラッパー装置で層状長繊維ウェブを得た。次いで、層状長繊維ウェブに、実施例１と同様にニードルＡでの予備絡合を行った後、ニードル番手３２番、バーブ深さ６０μｍ、バーブ数９個で正三角形断面のニードルＤで、バーブが厚さ方向に貫通するパンチ深さにて、複合繊維同士が厚さ方向に絡合するように、両面側から合計で６００パンチ／ｃｍ２のパンチ数でニードルパンチングによる絡合処理を行い（ニードルＤで１０００パンチ／ｃｍ２を超えるパンチ数でニードルパンチングを行うと、ニードル折損などのトラブルが多発するようになる。）、次いで、ニードル番手３６番、バーブ深さ８０μｍ、バーブ数１個で正三角形断面のニードルＥで、バーブが厚さ方向に貫通しないパンチ深さにて４００パンチ／ｃｍ２のパンチ数でニードルパンチングを行った。ニードルＥでのニードルパンチングを行った後、不織布構造体を観察すると、断面にはニードルパンチングによって厚さ方向に配向した繊維束が多数みられ、また表面には切断により形成された繊維端が０．５〜２．５本／ｍｍ２程度の頻度で観察された。得られた不織布構造体に、実施例１と同様の湿熱処理、プレス処理を行うことで、目付６５０ｇ／ｍ２の不織布構造体を得た。
【００８１】
得られた不織布構造体に、実施例１と同様にして、ポリウレタン組成物を海島型繊維同士の空隙に存在させた後で海島型繊維中の変性ポリビニルアルコールを抽出除去して、変性ポリエチレンテレフタレートの極細長繊維束からなる不織布構造体の内部にポリウレタン組成物が含有された厚さ約１．４ｍｍの人工皮革用基材を得た。次いで、得られた人工皮革用基材について、実施例２と同様の方法で二分割処理、バフィング処理を行って、変性ポリエチレンテレフタレートの極細繊維からなる立毛を形成した後、分散染料での染色加工及び整毛仕上げを行うことでベージュ色の立毛調人工皮革を作成した。得られた立毛調人工皮革は、断面にみられる繊維束の緻密性が実施例１に比べて明らか劣っているばかりか、繊維束同士の間に存在する空隙サイズに顕著な斑があり、しかも所々に極めてサイズが大きな空隙が存在するため、従来のスエード調人工皮革レベルの外観にも及ばない極めて粗い立毛外観を有するに過ぎず、さらには、極めて硬くて骨ばった感じの風合いを有し、本発明の目的とするレベルを到底満たしていないものであった。評価結果を表１に示す。
【００８２】
【表１】
2008308784.tif 000002
【産業上の利用可能性】
【００８３】
本発明の人工皮革用基材を用いて得られる人工皮革は、外観、表面強度、風合いなどの性質を高いレベルで兼備しているので、ジャケットやスカート、シャツやコートで代表される衣料用、スポーツ靴や紳士婦人靴で代表される履物用、ベルトで代表される服飾品用、ハンドバッグやランドセルで代表される鞄用、ソファーやオフィスチェアで代表される家具用、乗用車や列車、航空機や船舶に代表される乗物のシートや内装材用、ゴルフ手袋やバッティング手袋、野球グローブなどのスポーツ手袋やドライビング手袋、作業用手袋で代表される各種手袋用などの用途に好適に使用できる。
【００８４】
本発明の人工皮革用基材から得られる立毛調人工皮革は、緻密性が極めて高い天然ヌバック調皮革様の立毛感のある外観を有する。また、発色性に優れ、柔軟で膨らみ感がありながら充実感も有する風合い、および、耐ピリング性に代表される表面摩擦耐久性など、従来兼備することが難しかった特性においても優れている。また、本発明の人工皮革用基材から得られる銀面調人工皮革は、平滑性が高くて折れシボが極めて細かい天然皮革様の銀面感のある外観を有する。また、基材と銀面層との一体感、柔軟で膨らみ感のある風合いおよび接着剥離強力など、従来兼備することが難しかった特性おいても優れている。これらの人工皮革は、衣料用、靴用、袋物用、家具用、カーシート用、ゴルフ手袋等の各種スポーツ手袋用などの用途において好適に利用できる。